(57)【特許請求の範囲】
【請求項１】
拡張現実（ＡＲ）コンテンツを選別するための方法であって、
端末により、前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定するステップと、
前記端末により、サーバに第１の要求メッセージを送信するステップであって、前記第１の要求メッセージは前記端末の識別子および前記端末の位置情報を搬送する、ステップと、
前記端末により、前記サーバからの、少なくとも１つの行動を搬送する第１の応答メッセージを受信するステップであって、前記少なくとも１つの行動は、前記端末の識別子、前記端末の位置情報、サーバによって統計データの収集および計算を通して事前に獲得された異なる行動の条件付き確率、および予め設定された確率閾値に従って前記サーバによって判定される、ステップと、
前記端末により、前記少なくとも１つの行動の中で第１の行動が選択されたと判定したとき、前記サーバに第２の要求メッセージを送信するステップであって、前記第２の要求メッセージは前記第１の行動についての情報を搬送する、ステップと、
前記端末により、前記サーバからの、前記第１の行動に対応するＡＲコンテンツを搬送する第２の応答メッセージを受信するステップと、
前記端末により、前記第１のターゲットの関連情報に従って結合された前記第１のターゲットおよび前記ＡＲコンテンツを提示するステップと、
を含む、方法。
【請求項２】
端末により、前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定する前記ステップの前に、
前記端末により、第２のターゲットのタグ情報を読み取るステップと、
前記端末により、前記サーバに第１の記録事象を送信するステップであって、前記第１の記録事象は、前記端末の識別子および前記端末の位置情報に従って前記第１の記録事象を分類し、かつ前記第１の記録事象の確率を判定するように前記サーバをトリガし、前記第１の記録事象は、前記端末により前記第２のターゲットのタグ情報を読み取る行動を含む、ステップと、
をさらに含み、
前記第１の記録事象の確率に基づいて前記異なる行動の条件付き確率が計算される、
請求項１に記載のＡＲコンテンツを選別するための方法。
【請求項３】
前記端末により、前記少なくとも１つの行動の中で第１の行動が選択されたと判定したとき、前記サーバに第２の要求メッセージを送信するステップであって、前記第２の要求メッセージは前記第１の行動についての情報を搬送する、前記ステップの後に、
前記端末により、前記サーバに第２の記録事象を送信するステップであって、前記第２の記録事象は、前記端末の識別子および前記端末の位置情報に従って前記第２の記録事象を分類し、かつ前記第２の記録事象の確率および前記第２の記録事象の条件付き確率を判定するように前記サーバをトリガし、前記第２の記録事象は、前記少なくとも１つの行動の中で前記第１の行動を選択する行動を含む、ステップ
をさらに含み、
前記第２の記録事象の確率および前記第２の記録事象の条件付き確率に基づいて前記異なる行動の条件付き確率が計算される、
請求項２に記載のＡＲコンテンツを選別するための方法。
【請求項４】
前記第１のターゲットの関連情報は前記第１のターゲットの位置情報を含み、前記第２の記録事象は前記第１のターゲットの位置情報をさらに含む、請求項３に記載のＡＲコンテンツを選別するための方法。
【請求項５】
前記端末により、第２のターゲットのタグ情報を読み取る前記ステップの後に、
前記端末により、前記第２のターゲットのタグ情報に従って前記第２のターゲットの識別子を取得するステップと、
前記端末により、前記サーバに、前記第２のターゲットの識別子を搬送する第３の要求メッセージを送信するステップと、
前記端末により、前記サーバによって返信された、前記第２のターゲットの位置情報を搬送する第３の応答メッセージを受信するステップと、
をさらに含む、請求項２から４のいずれか一項に記載のＡＲコンテンツを選別するための方法。
【請求項６】
前記第１の記録事象は前記第２のターゲットの位置情報をさらに含む、請求項５に記載のＡＲコンテンツを選別するための方法。
【請求項７】
拡張現実（ＡＲ）コンテンツを選別するための方法であって、
サーバにより、端末から第１の要求メッセージを受信するステップであって、前記第１の要求メッセージは前記端末の識別子および前記端末の位置情報を搬送する、ステップと、
前記サーバにより、前記端末の識別子、前記端末の位置情報、サーバによって統計データの収集および計算を通して事前に獲得された異なる行動の条件付き確率、および予め設定された確率閾値に従って、少なくとも１つの行動を判定するステップと、
前記サーバにより、前記端末に、前記少なくとも１つの行動を搬送する第１の応答メッセージを送信するステップと、
前記サーバにより、前記端末から第２の要求メッセージを受信するステップであって、前記第２の要求メッセージは第１の行動についての情報を搬送し、前記第１の行動は前記少なくとも１つの行動の中で選択された行動である、ステップと、
前記サーバにより、前記端末に、前記第１の行動に対応するＡＲコンテンツを搬送する第２の応答メッセージを送信するステップであって、前記第２の応答メッセージは、第１のターゲットの関連情報に従って結合された前記第１のターゲットおよび前記ＡＲコンテンツを提示するように前記端末をトリガし、前記端末の位置情報および前記第１のターゲットの関連情報は、前記端末内にある、位置情報を取得するためのアプリケーションがトリガされたとき、前記端末がパノラマ写真を撮影した後、前記端末の位置の前記パノラマ写真に従って判定される、ステップと、
を含む、方法。
【請求項８】
サーバにより、端末から第１の要求メッセージを受信する前記ステップの前に、
前記サーバにより、前記端末から第１の記録事象を受信するステップであって、前記第１の記録事象は、前記端末により第２のターゲットのタグ情報を読み取る行動を含む、ステップと、
前記サーバにより、前記端末の識別子および前記端末の位置情報に従って前記第１の記録事象を分類し、前記第１の記録事象の確率を判定するステップと、
をさらに含み、
前記第１の記録事象の確率に基づいて前記異なる行動の条件付き確率が計算される、
請求項７に記載のＡＲコンテンツを選別するための方法。
【請求項９】
前記サーバにより、前記端末から第２の要求メッセージを受信する前記ステップの後に、
前記サーバにより、前記端末から第２の記録事象を受信するステップであって、前記第２の記録事象は、前記少なくとも１つの行動の中で前記第１の行動を選択する行動を含む、ステップと、
前記サーバにより、前記端末の識別子および前記端末の位置情報に従って前記第２の記録事象を分類し、前記第２の記録事象の確率および前記第２の記録事象の条件付き確率を判定するステップと、
をさらに含み、
前記第２の記録事象の確率および前記第２の記録事象の条件付き確率に基づいて前記異なる行動の条件付き確率が計算される、
請求項８に記載のＡＲコンテンツを選別するための方法。
【請求項１０】
前記第１のターゲットの関連情報は前記第１のターゲットの位置情報を含み、前記第２の記録事象は前記第１のターゲットの位置情報をさらに含む、請求項９に記載のＡＲコンテンツを選別するための方法。
【請求項１１】
前記サーバにより、前記端末から第１の記録事象を受信する前記ステップの前に、
前記サーバにより、前記端末からの、前記第２のターゲットの識別子を搬送する第３の要求メッセージを受信するステップであって、前記第２のターゲットの識別子は前記第２のターゲットのタグ情報に従って前記端末によって取得される、ステップと、
前記サーバにより、前記端末に、前記第２のターゲットの位置情報を搬送する第３の応答メッセージを送信するステップと、
をさらに含む、請求項８から１０のいずれか一項に記載のＡＲコンテンツを選別するための方法。
【請求項１２】
前記第１の記録事象は前記第２のターゲットの位置情報をさらに含む、請求項１１に記載のＡＲコンテンツを選別するための方法。
【請求項１３】
端末であって、
前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定するように構成された判定ユニットと、
サーバに第１の要求メッセージを送信するように構成された送信ユニットであって、前記第１の要求メッセージは前記端末の識別子および前記判定ユニットによって判定された前記端末の位置情報を搬送する、送信ユニットと、
前記サーバからの、少なくとも１つの行動を搬送する第１の応答メッセージを受信するように構成された受信ユニットであって、前記少なくとも１つの行動は、前記端末の識別子、前記端末の位置情報、サーバによって統計データの収集および計算を通して事前に獲得された異なる行動の条件付き確率、および予め設定された確率閾値に従って前記サーバによって判定される、受信ユニットと、を含み、
前記送信ユニットは、前記端末が前記少なくとも１つの行動の中で第１の行動が選択されたと判定したとき、前記サーバに第２の要求メッセージを送信するようにさらに構成され、前記第２の要求メッセージは前記第１の行動についての情報を搬送し、
前記受信ユニットは、前記サーバからの、前記第１の行動に対応する拡張現実（ＡＲ）コンテンツを搬送する第２の応答メッセージを受信するようにさらに構成され、
前記端末は、前記判定ユニットによって判定された前記第１のターゲットの関連情報に従って結合された前記第１のターゲットおよび前記受信ユニットによって受信されたＡＲコンテンツを提示するように構成された表示ユニットを含む、端末。
【請求項１４】
前記判定ユニットが、前記端末内にある、位置情報を取得するための前記アプリケーションがトリガされたとき、前記端末の位置のパノラマ写真を撮影し、前記パノラマ写真に従って前記端末の位置情報および前記第１のターゲットの関連情報を判定する前に、
前記判定ユニットは、第２のターゲットのタグ情報を読み取るようにさらに構成され、
前記送信ユニットは、前記サーバに第１の記録事象を送信するようにさら構成され、前記第１の記録事象は、前記端末の識別子および前記端末の位置情報に従って前記第１の記録事象を分類し、かつ前記第１の記録事象の確率を判定するように前記サーバをトリガし、前記第１の記録事象は、前記判定ユニットにより前記第２のターゲットのタグ情報を読み取る行動を含み、
前記第１の記録事象の確率に基づいて前記異なる行動の条件付き確率が計算される、
請求項１３に記載の端末。
【請求項１５】
前記送信ユニットが前記サーバに前記第２の要求メッセージを送信した後に、
前記送信ユニットは、前記サーバに第２の記録事象を送信するようにさらに構成され、前記第２の記録事象は、前記端末の識別子および前記端末の位置情報に従って前記第２の記録事象を分類し、かつ前記第２の記録事象の確率および前記第２の記録事象の条件付き確率を判定するように前記サーバをトリガし、前記第２の記録事象は、前記少なくとも１つの行動の中で前記第１の行動を選択する行動を含み、
前記第２の記録事象の確率および前記第２の記録事象の条件付き確率に基づいて前記異なる行動の条件付き確率が計算される、
請求項１４に記載の端末。
【請求項１６】
前記判定ユニットによって判定された前記第１のターゲットの関連情報は、前記第１のターゲットの位置情報を含み、前記送信ユニットによって送信された前記第２の記録事象は、前記第１のターゲットの位置情報をさらに含む、請求項１５に記載の端末。
【請求項１７】
前記判定ユニットが前記第２のターゲットのタグ情報を読み取った後に、
前記判定ユニットは、前記第２のターゲットのタグ情報に従って前記第２のターゲットの識別子を取得するようにさらに構成され、
前記送信ユニットは、前記サーバに前記第２のターゲットの識別子を搬送する第３の要求メッセージを送信するようにさらに構成され、
前記受信ユニットは、前記サーバによって返信された、前記第２のターゲットの位置情報を搬送する第３の応答メッセージを受信するようにさらに構成される、請求項１４から１６のいずれか一項に記載の端末。
【請求項１８】
前記送信ユニットによって送信された前記第１の記録事象は、前記第２のターゲットの位置情報をさらに含む、請求項１７に記載の端末。
【請求項１９】
サーバであって、
端末から第１の要求メッセージを受信するように構成された受信ユニットであって、前記第１の要求メッセージは前記端末の識別子および前記端末の位置情報を搬送する、受信ユニットと、
前記受信ユニットによって受信された前記端末の識別子および前記端末の位置情報、サーバによって統計データの収集および計算を通して事前に獲得された異なる行動の条件付き確率、および予め設定された確率閾値に従って、少なくとも１つの行動を判定するように構成された判定ユニットと、
前記端末に、前記判定ユニットによって判定された少なくとも１つの行動を搬送する第１の応答メッセージを送信するように構成された送信ユニットと、を含み、
前記受信ユニットは、前記端末から第２の要求メッセージを受信するようにさらに構成され、前記第２の要求メッセージは第１の行動についての情報を搬送し、前記第１の行動は前記少なくとも１つの行動の中で選択された行動であり、
前記送信ユニットは、前記端末に、前記第１の行動に対応する拡張現実（ＡＲ）コンテンツを搬送する第２の応答メッセージを送信するようにさらに構成され、前記第２の応答メッセージは、第１のターゲットの関連情報に従って結合された前記第１のターゲットおよび前記ＡＲコンテンツを提示するように前記端末をトリガし、前記端末の位置情報および前記第１のターゲットの関連情報は、前記端末内にある、位置情報を取得するためのアプリケーションがトリガされたとき、前記端末がパノラマ写真を撮影した後、前記端末の位置の前記パノラマ写真に従って判定される、サーバ。
【請求項２０】
前記受信ユニットが前記端末から前記第１の要求メッセージを受信する前に、
前記受信ユニットは、前記端末から第１の記録事象を受信するようにさらに構成され、前記第１の記録事象は、前記端末により第２のターゲットのタグ情報を読み取る行動を含み、
前記判定ユニットは、前記端末の識別子および前記端末の位置情報に従って前記第１の記録事象を分類し、前記第１の記録事象の確率を判定するようにさらに構成され、
前記第１の記録事象の確率に基づいて前記異なる行動の条件付き確率が計算される、
請求項１９に記載のサーバ。
【請求項２１】
前記受信ユニットが前記端末から前記第２の要求メッセージを受信した後に、
前記受信ユニットは、前記端末から第２の記録事象を受信するようにさらに構成され、前記第２の記録事象は、前記少なくとも１つの行動の中で前記第１の行動を選択する行動を含み、
前記判定ユニットは、前記端末の識別子および前記端末の位置情報に従って前記第２の記録事象を分類し、前記第２の記録事象の確率および前記第２の記録事象の条件付き確率を判定するようにさらに構成され、
前記第２の記録事象の確率および前記第２の記録事象の条件付き確率に基づいて前記異なる行動の条件付き確率が計算される、
請求項２０に記載のサーバ。
【請求項２２】
前記第１のターゲットの関連情報は、前記第１のターゲットの位置情報を含み、前記受信ユニットによって受信された前記第２の記録事象は、前記第１のターゲットの位置情報をさらに含む、請求項２１に記載のサーバ。
【請求項２３】
前記受信ユニットが前記端末から前記第１の記録事象を受信する前に、
前記受信ユニットは、前記端末からの、前記第２のターゲットの識別子を搬送する第３の要求メッセージを受信するようにさらに構成され、前記第２のターゲットの識別子は、前記第２のターゲットのタグ情報に従って前記端末によって取得され、
前記送信ユニットは、前記端末に、前記第２のターゲットの位置情報を搬送する第３の応答メッセージを送信するようにさらに構成される、請求項２０から２２のいずれか一項に記載のサーバ。
【請求項２４】
前記受信ユニットによって受信された前記第１の記録事象は、前記第２のターゲットの位置情報をさらに含む、請求項２３に記載のサーバ。
【請求項２５】
請求項１３から１８のいずれか一項に記載の端末と、請求項１９から２４のいずれか一項に記載のサーバと、
を含む、ＡＲコンテンツを選別するためのシステム。
【発明の詳細な説明】
【技術分野】
【０００１】
本発明は、通信分野、詳細には、拡張現実コンテンツを選別するための方法、装置、およびシステムに関する。
【背景技術】
【０００２】
拡張現実（英語でAugmented Reality、略してＡＲ）は、人が、より直観的で視覚的な形態で、現実世界における物品の関連情報を取得することを助けるための技術である。ＡＲシステムの動作手順は、４つのステップ、感知すること、識別すること、合致させること、および描画することを含む。
【０００３】
既存の地図アプリケーションは、位置の関心のある地点（英語でPoint of Interest、略してＰＯＩ）に基づいて、ユーザに照会サービスを提供し得る。地図アプリケーションがインストールされた端末は、まず、全地球測位システム（英語でGlobal Positioning System、略してＧＰＳ）を使用することによってユーザの現在の位置（経度および緯度）またはセルラーネットワークのセル識別情報（英語でCell ID）を判定し、そして、現在の位置に従ってデータベースを照会し、データベースから、登録されている、現在の位置の近くにあるレストラン、銀行、ショッピングモール、および駅のようなＰＯＩをさらに照会する。ユーザは、地図アプリケーションにおいて、ユーザが関心のある位置を入力することも可能であり、地図アプリケーションはデータベースを検索し、地図上の位置を位置決めし、それにより、その位置の近くのＰＯＩを見つける。ユーザによって入力された質問および対応するデータを受信し、質問について自然言語処理を行った後、既存の質問−回答システムは照会サブシステムに質問を伝送し、照会サブシステムは質問への回答を推論し、知識ベースから関連する回答を受け取り、その回答をユーザに出力する。
【０００４】
しかし、前述の地図アプリケーションは、ユーザによって要求されるＰＯＩの明確な知識を有することをユーザに要求し、すなわち、ユーザは、ユーザの要件に従って、ユーザが行くことを意図するＰＯＩを分析する必要がある。前述の質問−回答システムは、単一の種類のテキストデータを処理できるのみで、複雑な種類のデータを処理できず、ユーザによって入力された質問が十分に正確でないならば、質問−回答システムはユーザの情報の要件を満たすことができない。
【発明の概要】
【課題を解決するための手段】
【０００５】
本発明の実施例は、拡張現実コンテンツを選別するための方法、装置、およびシステムを提供し、これは、ユーザによって選択された行動に従って、リアルタイムで、ユーザの要件を最も満たすことができる拡張現実コンテンツを動的に選択することができ、それにより、ユーザの情報の要件を満たす。
【０００６】
前述の目的を達成するため、本発明の実施例において以下の技術的解決手段が使用される。
【０００７】
第１の態様によれば、本発明の実施例は、拡張現実（ＡＲ）コンテンツを選別するための方法であって、
端末により、前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定するステップと、
前記端末により、サーバに第１の要求メッセージを送信するステップであって、前記第１の要求メッセージは前記端末の識別子および前記端末の位置情報を搬送する、ステップと、
前記端末により、前記サーバからの、少なくとも１つの行動を搬送する第１の応答メッセージを受信するステップであって、前記少なくとも１つの行動は、前記端末の識別子、前記端末の位置情報、および異なる行動の条件付き確率に従って前記サーバによって判定される、ステップと、
前記端末により、前記少なくとも１つの行動の中で第１の行動が選択されたと判定したとき、前記サーバに第２の要求メッセージを送信するステップであって、前記第２の要求メッセージは前記第１の行動についての情報を搬送する、ステップと、
前記端末により、前記サーバからの、前記第１の行動に対応するＡＲコンテンツを搬送する第２の応答メッセージを受信するステップと、
前記端末により、前記第１のターゲットの関連情報に従う結合の後、前記第１のターゲットおよび前記ＡＲコンテンツを提示するステップと、
を含む、方法を提供する。
【０００８】
第１の態様の第１の可能な実現形態において、端末により、前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定する前記ステップの前に、前記方法は、
前記端末により、第２のターゲットのタグ情報を読み取るステップと、
前記端末により、前記サーバに第１の記録事象を送信するステップであって、前記第１の記録事象は、前記端末の識別子および前記端末の位置情報に従って前記第１の記録事象を分類し、かつ前記第１の記録事象の確率を判定するように前記サーバをトリガし、前記第１の記録事象は、前記端末により前記第２のターゲットのタグ情報を読み取る行動を含む、ステップと、
をさらに含む。
【０００９】
第１の態様または第１の態様の第１の可能な実現形態を参照して、第２の可能な実現形態において、前記端末により、前記少なくとも１つの行動の中で第１の行動が選択されたと判定したとき、前記サーバに第２の要求メッセージを送信するステップであって、前記第２の要求メッセージは前記第１の行動についての情報を搬送する、前記ステップの後に、前記方法は、
前記端末により、前記サーバに第２の記録事象を送信するステップであって、前記第２の記録事象は、前記端末の識別子および前記端末の位置情報に従って前記第２の記録事象を分類し、かつ前記第２の記録事象の確率および前記第２の記録事象の条件付き確率を判定するように前記サーバをトリガし、前記第２の記録事象は、前記少なくとも１つの行動の中で前記第１の行動を選択する行動を含む、ステップ
をさらに含む。
【００１０】
第１の態様の第２の可能な実現形態を参照して、第３の可能な実現形態において、
前記第１のターゲットの関連情報は前記第１のターゲットの位置情報を含み、前記第２の記録事象は前記第１のターゲットの位置情報をさらに含む。
【００１１】
第１の態様の第１の可能な実現形態から第３の可能な実現形態のいずれかの実現形態を参照して、第４の可能な実現形態において、前記端末により、第２のターゲットのタグ情報を読み取る前記ステップの後に、前記方法は、
前記端末により、前記第２のターゲットのタグ情報に従って前記第２のターゲットの識別子を取得するステップと、
前記端末により、前記サーバに、前記第２のターゲットの識別子を搬送する第３の要求メッセージを送信するステップと、
前記端末により、前記サーバによって返信された、前記第２のターゲットの位置情報を搬送する第３の応答メッセージを受信するステップと、
をさらに含む。
【００１２】
第１の態様の第４の可能な実現形態を参照して、第５の可能な実現形態において、
前記第１の記録事象は前記第２のターゲットの位置情報をさらに含む。
【００１３】
第２の態様によれば、本発明の実施例は、ＡＲコンテンツを選別するための方法であって、
サーバにより、端末から第１の要求メッセージを受信するステップであって、前記第１の要求メッセージは前記端末の識別子および前記端末の位置情報を搬送する、ステップと、
前記サーバにより、前記端末の識別子、前記端末の位置情報、および異なる行動の条件付き確率に従って、少なくとも１つの行動を判定するステップと、
前記サーバにより、前記端末に、前記少なくとも１つの行動を搬送する第１の応答メッセージを送信するステップと、
前記サーバにより、前記端末から第２の要求メッセージを受信するステップであって、前記第２の要求メッセージは第１の行動についての情報を搬送し、前記第１の行動は前記少なくとも１つの行動の中で選択された行動である、ステップと、
前記サーバにより、前記端末に、前記第１の行動に対応するＡＲコンテンツを搬送する第２の応答メッセージを送信するステップであって、前記第２の応答メッセージは、第１のターゲットの関連情報に従う結合の後、前記第１のターゲットおよび前記ＡＲコンテンツを提示するように前記端末をトリガし、前記端末の位置情報および前記第１のターゲットの関連情報は、前記端末内にある、位置情報を取得するためのアプリケーションがトリガされたとき、前記端末がパノラマ写真を撮影した後、前記端末の位置の前記パノラマ写真に従って判定される、ステップと、
を含む、方法を提供する。
【００１４】
第２の態様の第１の可能な実現形態において、サーバにより、端末から第１の要求メッセージを受信する前記ステップの前に、前記方法は、
前記サーバにより、前記端末から第１の記録事象を受信するステップであって、前記第１の記録事象は、前記端末により第２のターゲットのタグ情報を読み取る行動を含む、ステップと、
前記サーバにより、前記端末の識別子および前記端末の位置情報に従って前記第１の記録事象を分類し、前記第１の記録事象の確率を判定するステップと、
をさらに含む。
【００１５】
第２の態様または第２の態様の第１の可能な実現形態を参照して、第２の可能な実現形態において、前記サーバにより、前記端末から第２の要求メッセージを受信する前記ステップの後に、前記方法は、
前記サーバにより、前記端末から第２の記録事象を受信するステップであって、前記第２の記録事象は、前記少なくとも１つの行動の中で前記第１の行動を選択する行動を含む、ステップと、
前記サーバにより、前記端末の識別子および前記端末の位置情報に従って前記第２の記録事象を分類し、前記第２の記録事象の確率および前記第２の記録事象の条件付き確率を判定するステップと、
をさらに含む。
【００１６】
第２の態様の第２の可能な実現形態を参照して、第３の可能な実現形態において、
前記第１のターゲットの関連情報は前記第１のターゲットの位置情報を含み、前記第２の記録事象は前記第１のターゲットの位置情報をさらに含む。
【００１７】
第２の態様の第１の可能な実現形態から第３の可能な実現形態のいずれかの実現形態を参照して、第４の可能な実現形態において、前記サーバにより、前記端末から第１の記録事象を受信する前記ステップの前に、前記方法は、
前記サーバにより、前記端末からの、前記第２のターゲットの識別子を搬送する第３の要求メッセージを受信するステップであって、前記第２のターゲットの識別子は前記第２のターゲットのタグ情報に従って前記端末によって取得される、ステップと、
前記サーバにより、前記端末に、前記第２のターゲットの位置情報を搬送する第３の応答メッセージを送信するステップと、
をさらに含む。
【００１８】
第２の態様の第４の可能な実現形態を参照して、第５の可能な実現形態において、
前記第１の記録事象は前記第２のターゲットの位置情報をさらに含む。
【００１９】
第３の態様によれば、本発明の実施例は、端末であって、
前記端末内にある、位置情報を取得するためのアプリケーションがトリガされたとき、前記端末の位置のパノラマ写真を撮影し、前記パノラマ写真に従って前記端末の位置情報および第１のターゲットの関連情報を判定するように構成された判定ユニットと、
サーバに第１の要求メッセージを送信するように構成された送信ユニットであって、前記第１の要求メッセージは前記端末の識別子および前記判定ユニットによって判定された前記端末の位置情報を搬送する、送信ユニットと、
前記サーバからの、少なくとも１つの行動を搬送する第１の応答メッセージを受信するように構成された受信ユニットであって、前記少なくとも１つの行動は、前記端末の識別子、前記端末の位置情報、および異なる行動の条件付き確率に従って前記サーバによって判定される、受信ユニットと、を含み、
前記送信ユニットは、前記端末が前記少なくとも１つの行動の中で第１の行動が選択されたと判定したとき、前記サーバに第２の要求メッセージを送信するようにさらに構成され、前記第２の要求メッセージは前記第１の行動についての情報を搬送し、
前記受信ユニットは、前記サーバからの、前記第１の行動に対応するＡＲコンテンツを搬送する第２の応答メッセージを受信するようにさらに構成され、
前記端末は、前記判定ユニットによって判定された前記第１のターゲットの関連情報に従う結合の後、前記第１のターゲットおよび前記受信ユニットによって受信されたＡＲコンテンツを提示するように構成された表示ユニットを含む、端末を提供する。
【００２０】
第３の態様の第１の可能な実現形態において、前記判定ユニットが、前記端末内にある、位置情報を取得するための前記アプリケーションがトリガされたとき、前記端末の位置のパノラマ写真を撮影し、前記パノラマ写真に従って前記端末の位置情報および前記第１のターゲットの関連情報を判定する前に、
前記判定ユニットは、第２のターゲットのタグ情報を読み取るようにさらに構成され、
前記送信ユニットは、前記サーバに第１の記録事象を送信するようにさら構成され、前記第１の記録事象は、前記端末の識別子および前記端末の位置情報に従って前記第１の記録事象を分類し、かつ前記第１の記録事象の確率を判定するように前記サーバをトリガし、前記第１の記録事象は、前記判定ユニットにより前記第２のターゲットのタグ情報を読み取る行動を含む。
【００２１】
第３の態様または第３の態様の第１の可能な実現形態を参照して、第２の可能な実現形態において、前記送信ユニットが前記サーバに前記第２の要求メッセージを送信した後に、
前記送信ユニットは、前記サーバに第２の記録事象を送信するようにさらに構成され、前記第２の記録事象は、前記端末の識別子および前記端末の位置情報に従って前記第２の記録事象を分類し、かつ前記第２の記録事象の確率および前記第２の記録事象の条件付き確率を判定するように前記サーバをトリガし、前記第２の記録事象は、前記少なくとも１つの行動の中で前記第１の行動を選択する行動を含む。
【００２２】
第３の態様の第２の可能な実現形態を参照して、第３の可能な実現形態において、
前記判定ユニットによって判定された前記第１のターゲットの関連情報は、前記第１のターゲットの位置情報を含み、前記送信ユニットによって送信された前記第２の記録事象は、前記第１のターゲットの位置情報をさらに含む。
【００２３】
第３の態様の第１の可能な実現形態から第３の可能な実現形態のいずれかの実現形態を参照して、第４の可能な実現形態において、前記判定ユニットが前記第２のターゲットのタグ情報を読み取った後に、
前記判定ユニットは、前記第２のターゲットのタグ情報に従って前記第２のターゲットの識別子を取得するようにさらに構成され、
前記送信ユニットは、前記サーバに前記第２のターゲットの識別子を搬送する第３の要求メッセージを送信するようにさらに構成され、
前記受信ユニットは、前記サーバによって返信された、前記第２のターゲットの位置情報を搬送する第３の応答メッセージを受信するようにさらに構成される。
【００２４】
第３の態様の第４の可能な実現形態を参照して、第５の可能な実現形態において、
前記送信ユニットによって送信された前記第１の記録事象は、前記第２のターゲットの位置情報をさらに含む。
【００２５】
第４の態様によれば、本発明の実施例は、サーバであって、
端末から第１の要求メッセージを受信するように構成された受信ユニットであって、前記第１の要求メッセージは前記端末の識別子および前記端末の位置情報を搬送する、受信ユニットと、
前記受信ユニットによって受信された前記端末の識別子および前記端末の位置情報、および異なる行動の条件付き確率に従って、少なくとも１つの行動を判定するように構成された判定ユニットと、
前記端末に、前記判定ユニットによって判定された少なくとも１つの行動を搬送する第１の応答メッセージを送信するように構成された送信ユニットと、を含み、
前記受信ユニットは、前記端末から第２の要求メッセージを受信するようにさらに構成され、前記第２の要求メッセージは第１の行動についての情報を搬送し、前記第１の行動は前記少なくとも１つの行動の中で選択された行動であり、
前記送信ユニットは、前記端末に、前記第１の行動に対応するＡＲコンテンツを搬送する第２の応答メッセージを送信するようにさらに構成され、前記第２の応答メッセージは、第１のターゲットの関連情報に従う結合の後、前記第１のターゲットおよび前記ＡＲコンテンツを提示するように前記端末をトリガし、前記端末の位置情報および前記第１のターゲットの関連情報は、前記端末内にある、位置情報を取得するためのアプリケーションがトリガされたとき、前記端末がパノラマ写真を撮影した後、前記端末の位置の前記パノラマ写真に従って判定される、サーバを提供する。
【００２６】
第４の態様の第１の可能な実現形態において、前記受信ユニットが前記端末から前記第１の要求メッセージを受信する前に、
前記受信ユニットは、前記端末から第１の記録事象を受信するようにさらに構成され、前記第１の記録事象は、前記端末により第２のターゲットのタグ情報を読み取る行動を含み、
前記判定ユニットは、前記端末の識別子および前記端末の位置情報に従って前記第１の記録事象を分類し、前記第１の記録事象の確率を判定するようにさらに構成される。
【００２７】
第４の態様または第４の態様の第１の可能な実現形態を参照して、第２の可能な実現形態において、前記受信ユニットが前記端末から前記第２の要求メッセージを受信した後に、
前記受信ユニットは、前記端末から第２の記録事象を受信するようにさらに構成され、前記第２の記録事象は、前記少なくとも１つの行動の中で前記第１の行動を選択する行動を含み、
前記判定ユニットは、前記端末の識別子および前記端末の位置情報に従って前記第２の記録事象を分類し、前記第２の記録事象の確率および前記第２の記録事象の条件付き確率を判定するようにさらに構成される。
【００２８】
第４の態様の第２の可能な実現形態を参照して、第３の可能な実現形態において、
前記第１のターゲットの関連情報は、前記第１のターゲットの位置情報を含み、前記受信ユニットによって受信された前記第２の記録事象は、前記第１のターゲットの位置情報をさらに含む。
【００２９】
第４の態様の第１の可能な実現形態から第３の可能な実現形態のいずれかの実現形態を参照して、第４の可能な実現形態において、前記受信ユニットが前記端末から前記第１の記録事象を受信する前に、
前記受信ユニットは、前記端末からの、前記第２のターゲットの識別子を搬送する第３の要求メッセージを受信するようにさらに構成され、前記第２のターゲットの識別子は、前記第２のターゲットのタグ情報に従って前記端末によって取得され、
前記送信ユニットは、前記端末に、前記第２のターゲットの位置情報を搬送する第３の応答メッセージを送信するようにさらに構成される。
【００３０】
第４の態様の第４の可能な実現形態を参照して、第５の可能な実現形態において、
前記受信ユニットによって受信された前記第１の記録事象は、前記第２のターゲットの位置情報をさらに含む。
【００３１】
第５の態様によれば、本発明の実施例は、第３の態様による端末と、第４の態様によるサーバと、を含む、ＡＲコンテンツを選別するためのシステムを提供する。
【００３２】
本発明の実施例は、ＡＲコンテンツを選別するための方法、装置、およびシステムを提供し、これは、ユーザによって選択された行動に従って、リアルタイムで、ユーザの要件を最も満たすことができる拡張現実コンテンツを動的に選択することができ、それにより、ユーザの情報の要件を満たす。
【００３３】
本発明の実施例における技術的解決策をより明確に説明するために、以下は、実施例を説明するために要求される添付図面を簡単に導入する。明らかに、以下の説明における添付図面は、本発明のほんのいくつかの実施例を表わす。
【図面の簡単な説明】
【００３４】
【図１】本発明の実施例による、ＡＲコンテンツを選別するための方法のフローチャート１である。
【図２】本発明の実施例による、ＡＲコンテンツを選別するための方法のフローチャート２である。
【図３】本発明の実施例による、ＡＲコンテンツを選別するための方法のフローチャート３である。
【図４】本発明の実施例による、端末の概要の構成図１である。
【図５】本発明の実施例による、サーバの概要の構成図１である。
【図６】本発明の実施例による、端末の概要の構成図２である。
【図７】本発明の実施例による、サーバの概要の構成図２である。
【図８】本発明の実施例による、ＡＲコンテンツを選別するためのシステムのブロック図である。
【発明を実施するための形態】
【００３５】
以下は、本発明の実施例における添付図面を参照して、本発明の実施例における技術的解決策を明確かつ十分に説明する。明らかに、説明される実施例は、本発明の実施例のほんのいくつかであって、全てではない。
【００３６】
この明細書における用語「および／または」は、関連付けされる対象を説明するための関連付けの関係のみを説明し、３つの関係が存在し得ることを表現する。例えば、Ａおよび／またはＢは次の３つの場合、Ａのみが存在する、ＡとＢの両方が存在する、Ｂのみが存在する、を表現し得る。さらに、この明細書における文字「／」は、一般に、関連付けされる対象の間の「または」の関係を示す。
【００３７】
この明細書において説明される様々な技術は、様々な無線通信システム、例えば、携帯通信のためのグローバルシステム（英語でGlobal System for Mobile Communications、略してＧＳＭ（登録商標））、符号分割多元接続（英語でCode Division Multiple Access、略してＣＤＭＡ）システム、時間分割多元接続（英語でTime Division Multiple Access、略してＴＤＭＡ）システム、広帯域符号分割多元接続（英語でWideband Code Division Multiple Access、略してＷＣＤＭＡ（登録商標））システム、周波数分割多元接続（英語でFrequency Division Multiple Access、略してＦＤＭＡ）システム、直交周波数分割多元接続（英語でOrthogonal Frequency-Division Multiple Access、略してＯＦＤＭＡ）システム、シングルキャリア周波数分割多元接続（英語でSingle Carrier Frequency Division Multiple Access、略してＳＣ−ＦＤＭＡ）システム、汎用パケット無線サービス（英語でGeneral Packet Radio Service、略してＧＰＲＳ）システム、ロング・ターム・エボリューション（英語でLong Term Evolution、略してＬＴＥ）システム、およびこの種の他の通信システムのような、現在の2Gおよび3G通信システムおよび次世代通信システムに適用され得る。
【００３８】
端末は、無線端末であることが可能であり、無線端末は、カメラ、ジャイロスコープ、電子コンパス、近接場通信（英語でNear Field Communication、略してＮＦＣ）モジュール（任意選択）、中央処理ユニット（英語でCentral Processing Unit、略してＣＰＵ）、ランダム・アクセス・メモリ、不揮発性メモリ、および通信モジュールを有する電子機器であることが可能である。無線端末は、無線アクセスネットワーク（英語でRadio Access Network、略してＲＡＮ）を使用することによって１つまたはより多くのコアネットワークと通信し得る。無線端末は、携帯電話（「セルラー」電話とも呼ぶ）のような携帯端末であることが可能であり、携帯端末を有するコンピュータは、例えば、無線アクセスネットワークと音声および／またはデータを交換する、可搬型の、ポケットサイズの、手持ち式の、またはコンピュータに組み込みの携帯装置であることが可能である。例えば、パーソナル通信サービス（英語でPersonal Communication Service、略してＰＣＳ）電話、コードレス電話セット、セッション・イニシエーション・プロトコル（ＳＩＰ）電話、無線ローカルループ（英語でWireless Local Loop、略してＷＬＬ）局、またはパーソナル・デジタル・アシスタント（英語でPersonal Digital Assistant、略してＰＤＡ）のようなデバイスであり得る。無線端末は、システム、加入者ユニット（英語でSubscriber Unit）、加入者局（英語でSubscriber Station）、モバイル局（英語でMobile Station）、モバイル（英語でMobile）、遠隔局（英語でRemote Station）、アクセスポイント（英語でAccess Point）、遠隔端末（英語でRemote Terminal）、アクセス端末（英語でAccess Terminal）、ユーザエージェント（英語でUser Agent）、またはユーザ機器とも呼ばれ得る。
【実施例１】
【００３９】
図１に表わされているように、本発明のこの実施例はＡＲコンテンツを選別するための方法を提供し、これは端末側を伴い、本方法は以下を含み得る。
【００４０】
Ｓ１０１：端末は、端末内にある、位置情報を取得するためのアプリケーションがトリガされたとき、端末の位置のパノラマ写真を撮影し、パノラマ写真に従って端末の位置情報および第１のターゲットの関連情報を判定する。
【００４１】
本発明のこの実施例において提供される、ＡＲコンテンツを選別するための方法において、ユーザが屋内環境で道に迷った、またはユーザの行動を決定できないとき、ユーザは、端末内にある、位置情報を取得するためのアプリケーションをトリガし得る。すなわち、端末内にある、位置情報を取得するためのアプリケーションがユーザによってトリガされるとき、端末は端末の位置のパノラマ写真を撮影し、パノラマ写真に従って端末の位置情報および第１のターゲットの関連情報を判定し得る。端末が端末によって撮影されたパノラマ写真に従って第１のターゲットの関連情報を判定する技術は、光学的文字識別技術、画像識別技術、等を含み得る。
【００４２】
典型的に、第１のターゲットは、端末が位置する屋内環境に存在し、画像処理方法を使用することによって識別することができる対象、すなわち、ＡＲターゲットを指す。さらに、サーバは予め設定されたターゲットのライブラリを記憶し、ターゲットのライブラリは環境内の複数のターゲットを記憶する。ターゲットのライブラリは、前もってサーバから端末にダウンロードされ、端末によって記憶されることも可能である。例えば、第１のターゲットは、端末が位置する屋内環境の方向指示矢印、店のシンボル、火災のシンボル、またはエレベータのような対象の１つであり得る。
【００４３】
特に、第１のターゲットの関連情報は、第１のターゲットの画像特性値、第１のターゲットの位置情報、等を含み得る。第１のターゲットの関連情報は、Ｓ１０１の前に前もって端末によって収集されたデータであり得る。
【００４４】
さらに、端末は、端末が位置する環境が表示されることができる他の形態で、端末の位置情報および第１のターゲットの関連情報を判定することも可能であり、これは本発明において限定されない。
【００４５】
Ｓ１０２：端末はサーバに第１の要求メッセージを送信し、第１の要求メッセージは端末の識別子および端末の位置情報を搬送する。
【００４６】
端末が端末の位置情報を判定した後、端末はサーバに第１の要求メッセージを送信し、第１の要求メッセージは端末の識別子および端末の位置情報を搬送する。
【００４７】
具体的には、端末の識別子は、端末の加入者識別モジュール（英語でSubscriber Identity Module、略してＳＩＭ）番号であることが可能であり、または、端末の国際移動体装置識別番号（英語でInternational Mobile Equipment Identity、略してＩＭＥＩ）のような、要件を満たす他の識別子であることが可能であり、これは本発明において限定されない。
【００４８】
Ｓ１０３：端末は、サーバからの、少なくとも１つの行動を搬送する第１の応答メッセージを受信し、少なくとも１つの行動は、端末の識別子、端末の位置情報、および異なる行動の条件付き確率に従ってサーバによって判定される。
【００４９】
本発明のこの実施例において、異なる行動の条件付き確率は、いくつかの行動の発生の条件の下での異なる行動の発生の確率であり得る。
【００５０】
端末がサーバに第１の要求メッセージを送信した後、第１の要求メッセージは、第１の要求メッセージ内で搬送される端末の識別子および端末の位置情報、サーバによって統計データの収集および計算を通して事前に獲得された異なる行動の条件付き確率、および予め設定された確率閾値に従って、少なくとも１つの行動を判定するようにサーバをトリガし、第１の応答メッセージに少なくとも１つの行動を付加し、端末に第１の応答メッセージを送信し、すなわち、端末は、サーバからの、少なくとも１つの行動を搬送する第１の応答メッセージを受信する。
【００５１】
サーバによって獲得された少なくとも１つの行動は事象の集合であることが可能であり、事象の集合は、ほとんどのユーザのいくつかの日常の行動（例えば、ユーザは銀行、レストラン、スーパーマーケット、等を探す）を初期化することによって、プログラム開発者によって獲得され得ることが理解され得る。本発明のこの実施例による、ＡＲコンテンツを選別するための方法において、サーバは、事象の集合を拡張するために、端末を使用するユーザの要件をさらに収集および分析し得る。
【００５２】
Ｓ１０４：端末は、少なくとも１つの行動の中で第１の行動が選択されたと判定したとき、サーバに第２の要求メッセージを送信し、第２の要求メッセージは第１の行動についての情報を搬送する。
【００５３】
端末がサーバによって送信された少なくとも１つの行動を受信した後、端末はユーザに少なくとも１つの行動を提示し、ユーザは、ユーザの要件に従って、少なくとも１つの行動の中でユーザの要件を満たす行動、すなわち、第１の行動を選択し得る。端末が少なくとも１つの行動の中で第１の行動が選択されたと判定したとき、端末は、サーバに第２の要求メッセージを送信することが可能であり、第２の要求メッセージは第１の行動についての情報を搬送する。
【００５４】
Ｓ１０５：端末は、サーバからの、第１の行動に対応するＡＲコンテンツを搬送する第２の応答メッセージを受信する。
【００５５】
サーバが端末によって送信された第２の要求メッセージを受信した後、サーバは、第２の要求メッセージ内で搬送される、第１の行動についての情報に従って、サーバによって予め記憶されたＡＲコンテンツから第１の行動に対応するＡＲコンテンツを選択し、第２の応答メッセージにＡＲコンテンツを付加し、端末に第２の応答メッセージを送信することが可能であり、端末は、サーバからの、第１の行動に対応するＡＲコンテンツを搬送する第２の応答メッセージを受信する。
【００５６】
典型的に、ＡＲコンテンツは、画像テキスト情報、音声映像情報、３Ｄ画像、等を含み得る。本発明のこの実施例におけるＡＲコンテンツは、１つの分類情報（分類情報は、画像テキスト情報、音声映像情報、３Ｄ画像、等として表現され得る）を含むことが可能であり、分類情報は、ユーザのどの行動にＡＲコンテンツが関連するかを示すために使用される。例えば、一組のＡＲコンテンツのクラスがナビゲーション・クラスであるならば、その組のＡＲコンテンツは、選択された第１の行動が、ユーザが特定の目的地に向かうことであることを示すために使用され得る。
【００５７】
Ｓ１０６：端末は、第１のターゲットの関連情報に従う結合の後、第１のターゲットおよび第１の行動に対応するＡＲコンテンツを提示する。
【００５８】
端末がサーバによって送信された第１の行動に対応するＡＲコンテンツを受信した後、端末は、第１のターゲットの関連情報に従う結合の後、第１のターゲットおよびＡＲコンテンツを提示し得る。例えば、端末は、結合の後、端末によって撮影されたパノラマ写真から判定された重要な目印、および、サーバ内に予め記憶された重要な目印のＡＲコンテンツを提示し、それによって、ユーザは、端末によって提示された表示結果に従って重要な目印に到達するための経路を取得し、重要な目印の位置にさらに到達し得る。
【００５９】
端末により、第１のターゲットおよび第１の行動に対応するＡＲコンテンツを提示する形態は、レジストレーション表示または非レジストレーション表示であり得ることに留意すべきである。レジストレーション表示は、コンピュータによって生成されたコンテンツおよび実世界の対象が、ユーザに提示されるために、一様なシナリオに連携または結合されることを指し、非レジストレーション表示は、コンピュータによって生成されたコンテンツおよび実世界の対象が、ユーザに提示されるために、連携されず、単に重ねられるだけであることを指す。
【００６０】
図２に表わされているように、本発明のこの実施例はＡＲコンテンツを選別するための方法をさらに提供し、これはサーバ側を伴い、本方法は以下を含み得る。
【００６１】
Ｓ２０１：サーバは、端末から第１の要求メッセージを受信し、第１の要求メッセージは端末の識別子および端末の位置情報を搬送する。
【００６２】
ユーザがサーバからヘルプ情報を取得する必要があるとき、ユーザは、端末内にある、位置情報を取得するためのアプリケーションをトリガし得る。端末内にある、位置情報を取得するためのアプリケーションがトリガされるとき、端末は端末の位置のパノラマ写真を撮影し、パノラマ写真に従って端末の位置情報および第１のターゲットの関連情報を判定した後、サーバに第１の要求メッセージを送信し、すなわち、サーバは、端末によって送信された第１の要求メッセージを受信し、第１の要求メッセージは端末の識別子および端末の位置情報を搬送する。
【００６３】
Ｓ２０２：サーバは、端末の識別子、端末の位置情報、および異なる行動の条件付き確率に従って、少なくとも１つの行動を判定する。
【００６４】
サーバが端末によって送信された第１の要求メッセージを受信した後、サーバは、第１の要求メッセージ内で搬送される端末の識別子および端末の位置情報、サーバによって統計データの収集および計算を通して事前に獲得された異なる行動の条件付き確率、および予め設定された確率閾値に従って、少なくとも１つの行動を判定し得る。
【００６５】
Ｓ２０３：サーバは、端末に、少なくとも１つの行動を搬送する第１の応答メッセージを送信する。
【００６６】
サーバが少なくとも１つの行動を獲得した後、サーバは、第１の応答メッセージに少なくとも１つの行動を付加し、端末に第１の応答メッセージを送信する。
【００６７】
Ｓ２０４：サーバは端末から第２の要求メッセージを受信し、第２の要求メッセージは第１の行動についての情報を搬送し、第１の行動は少なくとも１つの行動の中で選択された行動である。
【００６８】
サーバが端末に第１の応答メッセージを送信した後、端末はユーザに第１の応答メッセージ内で搬送された少なくとも１つの行動を提示し、それによって、ユーザは、ユーザの要件に従って、少なくとも１つの行動の中で第１の行動を選択することが可能であり、端末が少なくとも１つの行動の中で第１の行動が選択されたと判定したとき、端末は、サーバに第２の要求メッセージを送信し、すなわち、サーバは端末によって送信された第２の要求メッセージを受信し、第２の要求メッセージは第１の行動についての情報を搬送する。
【００６９】
Ｓ２０５：サーバは、端末に、第１の行動に対応するＡＲコンテンツを搬送する第２の応答メッセージを送信し、第２の応答メッセージは、第１のターゲットの関連情報に従う結合の後、第１のターゲットおよび第１の行動に対応するＡＲコンテンツを提示するように端末をトリガし、端末の位置情報および第１のターゲットの関連情報は、端末内にある、位置情報を取得するためのアプリケーションがトリガされたとき、端末がパノラマ写真を撮影した後、端末の位置のパノラマ写真に従って判定される。
【００７０】
サーバが端末よって送信された第２の要求メッセージを受信した後、サーバは、第２の要求メッセージ内で搬送される第１の行動についての情報に従って、サーバ内に予め記憶されたＡＲコンテンツから第１の行動に対応するＡＲコンテンツを選択し、第２の応答メッセージにＡＲコンテンツを付加し、端末に第２の応答メッセージを送信し、それによって、第２の応答メッセージは、第１のターゲットの関連情報に従う結合の後、ユーザに第１のターゲットおよび第１の行動に対応するＡＲコンテンツを提示するように端末をトリガすることが可能であり、それによって、ユーザは、端末の表示結果の指示に従って、ユーザによって要求された目的地に到達することが可能であり、端末の位置情報および第１のターゲットの関連情報は、端末内にある、位置情報を取得するためのアプリケーションがトリガされたとき、端末がパノラマ写真を撮影した後、端末の位置のパノラマ写真に従って判定される。
【００７１】
本発明のこの実施例は、ＡＲコンテンツを選別するための方法を提供し、これは、ユーザによって選択された行動に従って、リアルタイムで、ユーザの要件を最も満たすことができる拡張現実コンテンツを動的に選択することができ、それにより、ユーザの情報の要件を満たす。
【実施例２】
【００７２】
図３に表わされているように、本発明のこの実施例はＡＲコンテンツを選別するための方法を提供し、本方法は以下を含み得る。
【００７３】
Ｓ３０１：端末は、第２のターゲットのタグ情報を読み取り、第２のターゲットのタグ情報に従って第２のターゲットの識別子を取得する。
【００７４】
ユーザが物品または製品についての情報を知る必要があるとき、ユーザは、端末を使用することによって、タグの撮影、スキャン、または読み取りのような形態で、第２のターゲットのタグ情報をまず読み取り、第２のターゲットのタグ情報に従って第２のターゲットの識別子を取得することが可能であり、第２のターゲットは、端末が位置する環境内の、読み取り可能なタグが設けられた物品である。
【００７５】
Ｓ３０２：端末は、サーバに、第２のターゲットの識別子を搬送する第３の要求メッセージを送信する。
【００７６】
端末が第２のターゲットの識別子を取得した後、端末は、第３の要求メッセージに第２のターゲットの識別子を付加し、サーバに第３の要求メッセージを送信し得る。第２のターゲットの識別子は、第２のターゲットの名前、第２のターゲットの種類、または第２のターゲットのブランドのうちの少なくとも１つを含み得る。
【００７７】
Ｓ３０３：サーバは、第２のターゲットの識別子に従って、第２のターゲットの位置情報を見つける。
【００７８】
サーバが端末から第２のターゲットの識別子を受信した後、サーバは、第２のターゲットの識別子に従って、サーバ内に予め記憶された情報の中で第２のターゲットの位置情報を見つけ得る。具体的には、第２のターゲットの位置情報は、第２のターゲットの座標値を含み得る。
【００７９】
第２のターゲットの位置情報は、前もって収集された屋内地図および第２のターゲットについてのデータを使用することによって獲得され得ることに留意すべきである。読み取り可能なタグを有する大量の物品が、ショッピングセンター、スーパーマーケット、図書館、美術館、空港、および駅のような公の場所に存在し、ＮＦＣタグのコストが減少するに連れて、ＮＦＣスマートポスターが広く適用され、従って、読み取り可能なタグが公の場所にますますたくさん存在し得る。商品または本のような品目についての管理を容易にするために、品目をソートするとき、ショッピングモールまたは図書館のような場所の従業員は品目の領域または位置を記録する必要がある。現在、一般に、屋内地図は、その場所の従業員によって地図アプリケーションサービスプロバイダにアップロードされている。従って、屋内環境を整頓し配列するとき、従業員は、屋内地図における、読み取り可能なタグを有する物品、すなわち、第２のターゲットの位置情報を記録し、サーバに位置情報を記憶させることが可能であり、これは屋内マップおよび第２のターゲットについてのデータを収集するための実現形態である。
【００８０】
第２のターゲットの位置情報を収集するための他の方法も存在する。ショッピングセンターまたは図書館のような屋内環境において、ユーザは、バーコード、２次元コード、またはＮＦＣタグのような、第２のターゲットの読み取り可能なタグを読み取るために、ユーザの携帯電話、ヘッドセットデバイス、または他の携帯デバイスを使用し、第２のターゲットのシリアル番号を取得し、サーバからの第２のターゲットの関連情報を要求し得る。さらに、ユーザが位置する環境の屋内地図を含むアプリケーションが、屋内地図において第２のターゲットのスキャンされた位置情報に印を付けるように、価値のある形態でユーザに奨励するために提供されることが可能であり、それによって、第２のターゲットの位置情報がサーバ内に記憶される。この形態は、第２のターゲットの位置情報を収集することができるだけでなく、第２のターゲットの収集された位置情報を訂正することができる。
【００８１】
任意選択で、第２のターゲットの素材、第２のターゲットの製造場所、第２のターゲットの価格、および第２のターゲットについての他のユーザのコメントのような関連情報をユーザに提供するために、サーバは、第２のターゲットの識別子に従って、サーバ内に予め記憶された情報の中で第２のターゲットの説明情報をさらに見つけ得る。第２のターゲットの説明情報は、ユーザによって見られた製品の関連情報をユーザが知ることを助けるために使用され得る。
【００８２】
本発明のこの実施例において提供される端末が位置する屋内環境において、端末と相互作用し得る大量の読み取り可能なタグまたは情報デバイスが存在し、読み取り可能なタグおよび情報デバイスの位置は屋内地図において印を付けられ、サーバ内に記憶されている。
【００８３】
Ｓ３０４：サーバは、端末に、第２のターゲットの位置情報を搬送する第３の応答メッセージを返信する。
【００８４】
サーバが第２のターゲットの位置情報を見つけた後、サーバは、第３の応答メッセージに第２のターゲットの位置情報を付加し、端末に第３の応答メッセージを送信することが可能であり、すなわち、端末は、第２のターゲットの位置情報を取得する。
【００８５】
Ｓ３０５：端末は、サーバに第１の記録事象を送信し、第１の記録事象は、端末により第２のターゲットのタグ情報を読み取る行動を含む。
【００８６】
端末が第２のターゲットのタグ情報を読み取った後、端末は、サーバに第１の記録事象を送信し、第１の記録事象は、端末により第２のターゲットのタグ情報を読み取る行動を含み得る。
【００８７】
具体的には、端末が第２のターゲットのタグ情報を読み取り、または第２のターゲットと情報を交換するとき、端末は、事象（すなわち、第１の記録事象）を自動的に読み取り、サーバに第１の記録事象を送信し、第１の記録事象は、第１の記録事象を記憶および分析するようにサーバをトリガし、第１の記録事象は端末の行動（例えば、端末は第２のターゲットのタグ情報を読み取る、または端末は第２のターゲットと情報を交換する）を含み得る。
【００８８】
さらに、第１の記録事象は、第２のターゲットの位置情報をさらに含み得る。端末がサーバから第２のターゲットの位置情報を受信した後、端末は、第１の記録事象として、端末により第２のターゲットのタグ情報を読み取る行動、および、第２のターゲットの位置情報を使用し、サーバに第１の記録事象を送信する。この場合において、第１の記録事象は、端末の行動および端末の行動が発生した位置、すなわち、第２のターゲットの位置情報を含み得る。ここで、端末は第２のターゲットを読み取るので、第２のターゲットの位置情報はこの時点で端末の位置情報と同じである。
【００８９】
端末がサーバに第１の記録事象を送信するとき、サーバは、端末の識別子に従って端末の位置情報を取得し得ることが理解され得る。
【００９０】
端末によってサーバに送信された第１の記録事象が第２のターゲットの位置情報を含まないならば、Ｓ３０２からＳ３０４およびＳ３０５を行うための順序は、本発明において限定されない、すなわち、本発明において、Ｓ３０２からＳ３０４がまず行われ、そしてＳ３０５が行われることが可能であり、または、Ｓ３０５がまず行われ、そしてＳ３０２からＳ３０４が行われることが可能であり、または、Ｓ３０２からＳ３０４およびＳ３０５が同時に行われることが可能であることに留意すべきである。
【００９１】
Ｓ３０６：サーバは、端末の識別子および端末の位置情報に従って第１の記録事象を分類し、第１の記録事象の確率を判定する。
【００９２】
サーバが端末によって送信された端末の識別子、端末の位置情報、および第１の記録事象を受信した後、サーバは、端末の識別子および端末の位置情報に従って第１の記録事象を分類し、大数の法則に従って第１の記録事象の各々のクラスの発生の確率を計算することが可能であり、大数の法則は、テストが大きな回数について行われるときに提示される確率的な特性を説明する法則である。
【００９３】
具体的には、端末の識別子は、端末の加入者識別モジュール（英語でSubscriber Identity Module、略してＳＩＭ）番号であることが可能であり、または、端末の国際移動体装置識別番号（英語でInternational Mobile Equipment Identity、略してＩＭＥＩ）のような、要件を満たす他の識別子であることが可能であり、これは本発明において限定されない。端末の位置情報は、端末の座標値を含み得る。
【００９４】
例えば、ユーザが映画館のチケット販売機から映画チケットについての２次元コードを交換するとき、ユーザは携帯支払によって現地のチケットオフィスで映画チケットを購入し、またはユーザは、ポップコーンを購入し、会員サービスセンターで支払を行うためにＮＦＣ携帯支払機能を使用し、端末は、第１の記録事象としてそのような事象を記録し、サーバに第１の記録事象を送信し、端末によって送信された第１の記録事象を受信した後、サーバは、チケット販売機／チケットオフィス／会員サービスセンターの識別子、または、チケット販売機／チケットオフィス／会員サービスセンターの位置情報、または、チケット販売機／チケットオフィス／会員サービスセンターの識別子およびチケット販売機／チケットオフィス／会員サービスセンターの位置情報に従って第１の記録事象を分類する。他の例について、ユーザが映画チケットについての２次元コードを交換するとき、ユーザは映画チケット交換端末または公式映画館チケット販売機を使用することによって映画チケットについて交換することが可能であり、異なる交換端末を使用することによる映画チケットについての交換のそのような第１の記録事象は、第１の記録事象の同じクラスにサーバによって分類され得る。サーバが大量の第１の記録事象を記録した後、サーバは大数の法則に従って第１の記録事象の各々のクラスの発生の確率を計算し得る。映画チケットについての交換の前述の例において、サーバは、端末において発生した行動に従って、ユーザが映画館に入った後、携帯支払によって現地のチケットオフィスで映画チケットを購入する確率およびチケット販売機からの映画チケットについての２次元コードを交換する確率を計算し得る。
【００９５】
本発明のこの実施例において、第１の記録事象の発生の確率は、第１の記録事象が第２のターゲットの位置で発生する確率として表現され得る。
【００９６】
端末およびサーバは、より多くの事象を記録し、大量のデータを記憶するために、Ｓ３０１からＳ３０６を繰り返し行い得ることに留意すべきである。例えば、ユーザがショッピングモールに行くとき、ユーザは、複数の第２のターゲットのタグ情報を読み取り、第１の記録事象として第２のターゲットのタグ情報を読み取る行動を記録し、サーバに第１の記録事象を送信するために端末を使用し得る。
【００９７】
Ｓ３０７：端末は、端末内にある、位置情報を取得するためのアプリケーションがトリガされたとき、端末の位置のパノラマ写真を撮影し、パノラマ写真に従って端末の位置情報および第１のターゲットの関連情報を判定する。
【００９８】
ユーザが屋内環境で道に迷った、またはユーザの行動を決定できないとき、ユーザは端末内にある、位置情報を取得するためのアプリケーションをトリガし得る。すなわち、端末内にある、位置情報を取得するためのアプリケーションがユーザによってトリガされるとき、端末は端末の位置のパノラマ写真を撮影し、パノラマ写真に従って端末の位置情報および第１のターゲットの関連情報を判定し得る。端末が端末によって撮影されたパノラマ写真に従って第１のターゲットの関連情報を判定する技術は、光学的文字識別技術、画像識別技術、等を含み得る。
【００９９】
典型的に、第１のターゲットは、端末が位置する屋内環境に存在し、画像処理方法を使用することによって識別することができる対象、すなわち、ＡＲターゲットを指す。さらに、サーバは予め設定されたターゲットのライブラリを記憶し、ターゲットのライブラリは環境内の複数のターゲットを記憶する。ターゲットのライブラリは、前もってサーバから端末にダウンロードされ、端末によって記憶されることも可能である。例えば、第１のターゲットは、端末が位置する屋内環境の方向指示矢印、店のシンボル、火災のシンボル、またはエレベータのような対象の１つであり得る。ＡＲコンテンツは、画像テキスト情報、音声映像情報、３Ｄ画像、等を含み得る。本発明のこの実施例におけるＡＲコンテンツは、１つの分類情報（分類情報は、画像テキスト情報、音声映像情報、３Ｄ画像、等として表現され得る）を含むことが可能であり、分類情報は、ユーザのどの行動にＡＲコンテンツが関連するかを示すために使用される。例えば、一組のＡＲコンテンツのクラスがナビゲーション・クラスであるならば、その組のＡＲコンテンツは、選択された第１の行動が、ユーザが特定の目的地に向かうことであることを示すために使用され得る。
【０１００】
特に、第１のターゲットの関連情報は、第１のターゲットの画像特性値、第１のターゲットの位置情報、等を含み得る。第１のターゲットの関連情報は、Ｓ３０７の前に前もって端末によって収集されたデータであることが可能であり、第１のターゲットの位置情報は、第１のターゲットの座標値を含むことが可能である。
【０１０１】
具体的には、端末により、第１のターゲットの位置情報を判定する方法は、以下のうちの１つであり得る。
【０１０２】
（１）端末が端末の位置のパノラマ写真を撮影した後、端末は、パノラマ写真について画像処理を行い、パノラマ写真の中で抽出された対象の特性値を、端末によって記憶された、第１のターゲットの予め設定されたライブラリ内の第１のターゲットの特性値と比較し、第１のターゲットのライブラリが、特性値がパノラマ写真の中の対象のそれと同じ対象を有するならば、端末は、第１のターゲットがパノラマ写真の中で見つけられたと判定することが可能であり、第１のターゲットの位置情報が第１のターゲットの画像の特徴と関連付けされているので、第１のターゲットの位置情報をさらに判定することが可能である。
【０１０３】
（２）端末は、パノラマ写真を撮影し、光景に基づいて屋内位置決めアルゴリズムに従って端末の位置を判定し、それによって、端末は、端末の位置の近くに存在し得る識別可能な第１のターゲットを探索し、第１のターゲットの位置情報が端末内に予め設定され、予め記憶されているので、第１のターゲットに従って第１のターゲットの位置情報をさらに取得する。
【０１０４】
本発明のこの実施例による、ＡＲコンテンツを選別するための方法において、サーバは第１のターゲットの予め設定されたライブラリを記憶し、または第１のターゲットのライブラリは前もって端末にダウンロードされ得ることに留意すべきである。第１のターゲットおよびその関連する画像特性値、位置情報、等は、内部的に前もって収集され、データはアプリケーション配備の前に収集され得る。
【０１０５】
さらに、端末は、端末が位置する環境が表示されることができる他の形態で、端末の位置情報および第１のターゲットの関連情報を判定することも可能であり、これは本発明において限定されない。
【０１０６】
Ｓ３０８：端末はサーバに第１の要求メッセージを送信し、第１の要求メッセージは端末の識別子および端末の位置情報を搬送する。
【０１０７】
端末が端末の位置情報を判定した後、端末はサーバに第１の要求メッセージを送信し、第１の要求メッセージは端末の識別子および端末の位置情報を搬送する。
【０１０８】
Ｓ３０９：サーバは、端末の識別子、端末の位置情報、および異なる行動の条件付き確率に従って、少なくとも１つの行動を判定する。
【０１０９】
サーバが端末によって送信された第１の要求メッセージを受信した後、サーバは、第１の要求メッセージ内で搬送される端末の識別子および端末の位置情報、サーバによって統計データの収集および計算を通して事前に獲得された異なる行動の条件付き確率、および予め設定された確率閾値に従って、少なくとも１つの行動を判定し得る。
【０１１０】
サーバによって獲得された少なくとも１つの行動は事象の集合であることが可能であり、事象の集合は、ほとんどのユーザのいくつかの日常の行動（例えば、ユーザは銀行、レストラン、スーパーマーケット、等を探す）を初期化することによって、プログラム開発者によって獲得されることが可能であることが理解され得る。本発明のこの実施例による、ＡＲコンテンツを選別するための方法において、サーバは、事象の集合を拡張するために、端末を使用するユーザの要件をさらに収集および分析し得る。特定の異なる行動の条件付き確率は、続いて詳細に説明される。
【０１１１】
Ｓ３１０：サーバは、端末に、少なくとも１つの行動を搬送する第１の応答メッセージを送信する。
【０１１２】
サーバが少なくとも１つの行動を獲得した後、サーバは、第１の応答メッセージに少なくとも１つの行動を付加し、端末に第１の応答メッセージを送信する。
【０１１３】
Ｓ３１１：端末は、少なくとも１つの行動の中で第１の行動が選択されたと判定したとき、サーバに第２の要求メッセージを送信し、第２の要求メッセージは第１の行動についての情報を搬送する。
【０１１４】
端末がサーバによって送信された少なくとも１つの行動を受信した後、端末は、ユーザに少なくとも１つの行動を提示し、ユーザは、ユーザの要件に従って、少なくとも１つの行動の中でユーザの要件を満たす行動、すなわち、第１の行動を選択し得る。端末が少なくとも１つの行動の中で第１の行動が選択されたと判定したとき、端末は、サーバに第２の要求メッセージを送信することが可能であり、第２の要求メッセージは第１の行動についての情報を搬送する。
【０１１５】
この技術分野の当業者は、端末において提示される少なくとも１つの行動または第１の行動が、アンカーテキスト（英語でanchor text）の形式で表示されることを理解し得る。アンカーテキストは、ユニフォーム・リソース・ロケータ（英語でUniform Resource Locator、略してＵＲＬ）リンクを有するテキストを指し、すなわち、ユーザがテキストをクリックまたはタッチするときＵＲＬリンクへのアクセスがトリガされ得る。
【０１１６】
Ｓ３１２：端末はサーバに第２の記録事象を送信し、第２の記録事象は少なくとも１つの行動の中で第１の行動を選択する行動を含む。
【０１１７】
端末が少なくとも１つの行動の中で第１の行動が選択されたと判定したとき、端末は、サーバに第２の記録事象を送信し、第２の記録事象は少なくとも１つの行動の中で第１の行動を選択する行動を含む。
【０１１８】
任意選択で、第１のターゲットの関連情報は、第１のターゲットの位置情報を含み、第２の記録事象は、第１のターゲットの位置情報をさらに含む。端末が第１のターゲットの位置情報を取得した後、端末は、第２の記録事象として、少なくとも１つの行動の中で第１の行動を選択する行動、および、第１のターゲットの位置情報を使用し、サーバに第２の記録事象を送信する。この場合において、第２の記録事象は、少なくとも１つの行動の中で第１の行動を選択する行動、および、パノラマ写真から端末によって判定された第１のターゲットの位置情報を含み得る。
【０１１９】
Ｓ３１１およびＳ３１２を行うための順序は、本発明において限定されない、すなわち、本発明において、Ｓ３１１がまず行われ、そしてＳ３１２が行われることが可能であり、または、Ｓ３１２がまず行われ、そしてＳ３１１が行われることが可能であり、または、Ｓ３１１およびＳ３１２が同時に行われることが可能であることに留意すべきである。
【０１２０】
Ｓ３１３：サーバは、端末の識別子および端末の位置情報に従って第２の記録事象を分類し、第２の記録事象の確率および第２の記録事象の条件付き確率を判定する。
【０１２１】
サーバが端末によって送信された第２の記録事象を受信した後、サーバは、端末の識別子および端末の位置情報に従って第２の記録事象を分類し、大数の法則に従って第２の記録事象の各々のクラスの確率を計算し、第１の記録事象の確率および第２の記録事象の確率に従って、第２の記録事象の条件付き確率、すなわち、第１の記録事象の発生の条件の下で第２の記録事象の発生の確率を判定し得る。本発明のこの実施例による、ＡＲコンテンツを選別するための方法において、第１の記録事象の発生の頻度は、第１の記録事象の確率として記録されることが可能であり、第２の記録事象の発生の頻度は、第２の記録事象の確率として記録されることが可能である。
【０１２２】
本発明のこの実施例において、第２の記録事象の条件付き確率は、第１の記録事象の発生の条件の下での第２の記録事象の発生の確率であり得る。具体的には、サーバが第２の記録事象の発生を知っているという条件の下で、サーバは、ベイズの数式を使用することによって、第１の記録事象の条件付き確率、第１の記録事象の確率、および第２の記録事象の確率に従って、その条件の下での第１の記録事象の発生の確率、すなわち、第１の記録事象の条件付き確率についての統計データをさらに収集し、第２の記録事象の条件付き確率、すなわち、第１の記録事象の発生の条件の下での第２の記録事象の発生の確率を計算することが可能である。
【０１２３】
第１の記録事象の複数のクラスおよび第２の記録事象の複数のクラスについて、第１の記録事象の各々のクラスの発生の条件の下での第２の記録事象の各々のクラスの可能な発生の確率、すなわち、前述の異なる行動の条件付き確率が計算され得ることが理解され得る。
【０１２４】
特に、以下は、異なる行動の条件付き確率を計算するための方法および処理を詳細に説明する。
【０１２５】
ベイズの定理は確率論において重要な定理であり、事後確率Ｐ（Ａ｜Ｂ）と事前確率Ｐ（Ａ）の間の関係は、
【０１２６】
【数１】
0006478286.tif 000002
【０１２７】
として表現されることが可能であり、事象Ｂは観測された事象であり、事象Ａは事象Ｂの発生を引き起こし得る事象である。事象Ａの発生の条件の下で、発生し得る続く事象が
【０１２８】
【数２】
0006478286.tif 000003
【０１２９】
であり、事象の集合Ｂｊ（ｊ＝１，２，・・・ｋ）内の各Ｂｊの確率がＰ（Ｂｊ）であると仮定すると、与えられた事象Ａの発生の条件の下での任意の事象Ｂｊの発生の確率、すなわち、事象Ｂｊの条件付き確率が次の通りであるというベイズの定理に従って獲得され得る。
【０１３０】
【数３】
0006478286.tif 000004
【０１３１】
前述の数式から、ベイズの定理に従って、事象Ａおよび事象Ｂの発生の確率、および、事象Ｂが発生したときの事象Ａの発生の確率が知られているならば、事象Ａの発生の条件の下での事象Ｂの発生の条件付き確率が計算され得ることが理解できる。
【０１３２】
サーバによって記憶された第１の記録事象の集合が｛Ａｉ，ｉ＝１，２，・・・，Ｎ｝であり、Ａｉは第１の記録事象のｉ番目のクラスを表現し、第１の記録事象のＮ個のクラスの和集合が
【０１３３】
【数４】
0006478286.tif 000005
【０１３４】
であると仮定すると、サーバは第１の記録事象のｉ番目のクラスの発生の確率Ｐ（Ａｉ）を計算することが可能であり、そして、サーバによって記憶された第２の記録事象の集合が｛Ｂｊ，ｊ＝１，２，・・・，Ｍ｝であり、Ｂｊは第２の記録事象のｊ番目のクラスを表現し、第２の記録事象のＭ個のクラスの和集合が
【０１３５】
【数５】
0006478286.tif 000006
【０１３６】
であると仮定すると、サーバは第２の記録事象のｊ番目のクラスの発生の確率Ｐ（Ｂｊ）を計算することが可能であり、サーバによって受信された第２の記録事象の量が十分でないとき、第２の記録事象Ｂｊが等しい確率事象であると仮定することが可能である。
【０１３７】
サーバは端末の識別子に従って統計データの収集を行い、第１の記録事象Ａｉを行った後、端末が第２の記録事象Ｂｊを行うサンプルを獲得することが可能であり、それによって、計算を通した十分なサンプルから、第２の記録事象Ｂｊの発生の条件の下での第１の記録事象Ａｉの発生の確率がＰ（Ａｉ｜Ｂｊ）であることを獲得する。
【０１３８】
ベイズの定理に従って、第１の記録事象Ａｉの発生の条件の下での第２の記録事象Ｂｊの発生の条件付き確率は
【０１３９】
【数６】
0006478286.tif 000007
【０１４０】
であることが計算を通して獲得され得る。
【０１４１】
さらに、同じ端末がサーバに要求メッセージを送信する前に、端末によって報告され、サーバによって記憶された第１の記録事象がＡ１およびＡ２であるならば、表１に表されているように、ユーザにより端末を使用することによって１つのヘルプ情報を選択する行動、すなわち、第２の記録事象Ｂｊが事象Ｅ１として記録され、ユーザにより１つのヘルプ情報を選択することを省く行動が事象Ｅ２として記録されると仮定する。
【０１４２】
【表１】
0006478286.tif 000008
【０１４３】
Ｅ１はＡ１およびＡ２が発生した後にＢｊが発生したことを表現し、Ｅ２はＡ１およびＡ２が発生した後にＢｊが発生しないことを表現することが表１から理解できる。Ａ１およびＡ２が独立事象であると仮定すると、表２が獲得され得る。
【０１４４】
【表２】
0006478286.tif 000009
【０１４５】
結論として、Ａ１およびＡ２が発生した後、Ｂｊの発生の確率は以下の数式を使用することによって計算され得る。
【０１４６】
【数７】
0006478286.tif 000010
【０１４７】
従って、ユーザが端末を使用することによって２つの事象Ａ１およびＡ２を行うことが連続して記録された後、１つのヘルプ情報を獲得することをユーザが望む行動Ｂｊの確率Ｐ、すなわち、異なる行動の条件付き確率が計算されることが可能であり、それによって、サーバは、異なる行動の条件付き確率における最大の条件付き確率に従って、最も発生する可能性があるユーザの少なくとも１つの行動を獲得することが可能である。サーバは、端末に、サーバによって獲得された少なくとも１つの行動を送信し、それによって、端末は、ユーザに少なくとも１つの行動を提示することが可能であり、ユーザはユーザによって要求される行動を選択し、その行動に従ってヘルプ情報をさらに取得する。
【０１４８】
Ｓ３１４：サーバは、端末に、第１の行動に対応するＡＲコンテンツを搬送する第２の応答メッセージを送信する。
【０１４９】
サーバが端末よって送信された第２の要求メッセージを受信した後、サーバは、第２の要求メッセージ内で搬送される第１の行動についての情報に従って、サーバ内に予め記憶されたＡＲコンテンツから第１の行動に対応するＡＲコンテンツを選択し、第２の応答メッセージにＡＲコンテンツを付加し、端末に第２の応答メッセージを送信する。
【０１５０】
Ｓ３１５：端末は、第１のターゲットの関連情報に従う結合の後、第１のターゲットおよび第１の行動に対応するＡＲコンテンツを提示する。
【０１５１】
端末がサーバによって送信された第１の行動に対応するＡＲコンテンツを受信した後、端末は、第１のターゲットの関連情報に従う結合の後、第１のターゲットおよびＡＲコンテンツを提示し得る。例えば、端末は、結合の後、端末によって撮影されたパノラマ写真から判定された重要な目印、および、サーバ内に予め記憶された重要な目印のＡＲコンテンツを提示し、それによって、ユーザは、端末によって提示された表示結果に従って重要な目印に到達するための経路を取得し、重要な目印の位置にさらに到達し得る。
【０１５２】
端末により、第１のターゲットおよび第１の行動に対応するＡＲコンテンツを提示する形態は、レジストレーション表示または非レジストレーション表示であり得ることに留意すべきである。レジストレーション表示は、コンピュータによって生成されたコンテンツおよび実世界の対象が、ユーザに提示されるために、一様なシナリオに連携または結合されることを指し、非レジストレーション表示は、コンピュータによって生成されたコンテンツおよび実世界の対象が、ユーザに提示されるために、連携されず、単に重ねられるだけであることを指す。具体的には、端末によってサーバに送信された第２の記録事象が第１のターゲットの位置情報を含むとき、端末は、レジストレーション表示の形態で、第１の行動と第１のターゲットの結合に対応するＡＲコンテンツを表示する。一方、端末によってサーバに送信された第２の記録事象が第１のターゲットの位置情報を含まないとき、端末は、非レジストレーション表示の形態で、第１の行動と第１のターゲットの結合に対応するＡＲコンテンツを表示する。
【０１５３】
本発明のこの実施例は、ＡＲコンテンツを選別するための方法を提供し、これは、ユーザによって選択された行動に従って、リアルタイムで、ユーザの要件を最も満たすことができる拡張現実コンテンツを動的に選択することができ、それにより、ユーザの情報の要件を満たす。
【実施例３】
【０１５４】
図４に表わされているように、本発明のこの実施例は端末１を提供し、端末１は、
端末内にある、位置情報を取得するためのアプリケーションがトリガされたとき、端末の位置のパノラマ写真を撮影し、パノラマ写真に従って端末の位置情報および第１のターゲットの関連情報を判定するように構成された判定ユニット１０、
サーバに第１の要求メッセージを送信するように構成された送信ユニット１１であって、第１の要求メッセージは端末の識別子および判定ユニット１０によって判定された端末の位置情報を搬送する、送信ユニット１１、
サーバからの、少なくとも１つの行動を搬送する第１の応答メッセージを受信するように構成された受信ユニット１２であって、少なくとも１つの行動は、端末の識別子、端末の位置情報、および異なる行動の条件付き確率に従ってサーバによって判定される、受信ユニット１２を含み、
送信ユニット１１は、端末が少なくとも１つの行動の中で第１の行動が選択されたと判定したとき、サーバに第２の要求メッセージを送信するようにさらに構成され、第２の要求メッセージは第１の行動についての情報を搬送し、
受信ユニット１２は、サーバからの、第１の行動に対応するＡＲコンテンツを搬送する第２の応答メッセージを受信するようにさらに構成され、
端末１は、判定ユニットによって判定された第１のターゲットの関連情報に従う結合の後、第１のターゲットおよび受信ユニット１２によって受信されたＡＲコンテンツを提示するように構成された表示ユニット１３を含む。
【０１５５】
任意選択で、判定ユニット１０が、端末内にある、位置情報を取得するためのアプリケーションがトリガされたとき、端末の位置のパノラマ写真を撮影し、パノラマ写真に従って端末の位置情報および第１のターゲットの関連情報を判定する前に、判定ユニット１０は、第２のターゲットのタグ情報を読み取るようにさらに構成され、送信ユニット１１は、サーバに第１の記録事象を送信するようにさら構成され、第１の記録事象は、端末の識別子および端末の位置情報に従って第１の記録事象を分類し、かつ第１の記録事象の確率を判定するようにサーバをトリガし、第１の記録事象は、判定ユニット１０により第２のターゲットのタグ情報を読み取る行動を含む。
【０１５６】
任意選択で、送信ユニット１１がサーバに第１の要求メッセージを送信した後、送信ユニット１１は、サーバに第２の記録事象を送信するようにさらに構成され、第２の記録事象は、端末の識別子および端末の位置情報に従って第２の記録事象を分類し、かつ第２の記録事象の確率および第２の記録事象の条件付き確率を判定するようにサーバをトリガし、第２の記録事象は、少なくとも１つの行動の中で第１の行動を選択する行動を含む。
【０１５７】
任意選択で、判定ユニット１０によって判定された第１のターゲットの関連情報は、第１のターゲットの位置情報を含み、送信ユニット１１によって送信された第２の記録事象は、第１のターゲットの位置情報をさらに含む。
【０１５８】
任意選択で、判定ユニット１０が第２のターゲットのタグ情報を読み取った後、
送信ユニット１０は、第２のターゲットのタグ情報に従って第２のターゲットの識別子を取得するようにさらに構成され、送信ユニット１１は、サーバに第２のターゲットの識別子を搬送する第３の要求メッセージを送信するようにさらに構成され、受信ユニット１２は、サーバによって返信された、第２のターゲットの位置情報を搬送する第３の応答メッセージを受信するようにさらに構成される。
【０１５９】
任意選択で、送信ユニット１１によって送信された第１の記録事象は、第２のターゲットの位置情報をさらに含む。
【０１６０】
本発明のこの実施例は端末を提供し、これは、ユーザによって選択された行動に従って、リアルタイムで、ユーザの要件を最も満たすことができる拡張現実コンテンツを動的に選択することができ、それにより、ユーザの情報の要件を満たす。
【０１６１】
図５に表わされているように、本発明のこの実施例はサーバ２を提供し、サーバ２は、
端末から第１の要求メッセージを受信するように構成された受信ユニット２０であって、第１の要求メッセージは端末の識別子および端末の位置情報を搬送する、受信ユニット２０、
受信ユニット２０によって受信された端末の識別子および端末の位置情報、および異なる行動の条件付き確率に従って、少なくとも１つの行動を判定するように構成された判定ユニット２１、
端末に、判定ユニット２１によって判定された少なくとも１つの行動を搬送する第１の応答メッセージを送信するように構成された送信ユニット２２、を含み、
受信ユニット２０は、端末から第２の要求メッセージを受信するようにさらに構成され、第２の要求メッセージは第１の行動についての情報を搬送し、第１の行動は少なくとも１つの行動の中で選択された行動であり、
送信ユニット２２は、端末に、第１の行動に対応するＡＲコンテンツを搬送する第２の応答メッセージを送信するようにさらに構成され、第２の応答メッセージは、第１のターゲットの関連情報に従う結合の後、第１のターゲットおよびＡＲコンテンツを提示するように端末をトリガし、端末の位置情報および第１のターゲットの関連情報は、端末内にある、位置情報を取得するためのアプリケーションがトリガされたとき、端末がパノラマ写真を撮影した後、端末の位置のパノラマ写真に従って判定される。
【０１６２】
任意選択で、受信ユニット２０が端末から第１の要求メッセージを受信する前に、
受信ユニット２０は、端末から第１の記録事象を受信するようにさらに構成され、第１の記録事象は、端末により第２のターゲットのタグ情報を読み取る行動を含み、判定ユニット２１は、端末の識別子および端末の位置情報に従って第１の記録事象を分類し、第１の記録事象の確率を判定するようにさらに構成される。
【０１６３】
任意選択で、受信ユニット２０が端末から第２の要求メッセージを受信した後、
受信ユニット２０は、端末から第２の記録事象を受信するようにさらに構成され、第２の記録事象は、少なくとも１つの行動の中で第１の行動を選択する行動を含み、判定ユニット２１は、端末の識別子および端末の位置情報に従って第２の記録事象を分類し、第２の記録事象の確率および第２の記録事象の条件付き確率を判定するようにさらに構成される。
【０１６４】
任意選択で、第１のターゲットの関連情報は、第１のターゲットの位置情報を含み、受信ユニット２０によって受信された第２の記録事象は、第１のターゲットの位置情報をさらに含む。
【０１６５】
任意選択で、受信ユニット２０が端末から第１の記録事象を受信する前に、
受信ユニット２０は、端末からの、第２のターゲットの識別子を搬送する第３の要求メッセージを受信するようにさらに構成され、第２のターゲットの識別子は、第２のターゲットのタグ情報に従って端末によって取得され、送信ユニット２２は、端末に、第２のターゲットの位置情報を搬送する第３の応答メッセージを送信するようにさらに構成される。
【０１６６】
任意選択で、受信ユニット２０によって受信された第１の記録事象は、第２のターゲットの位置情報をさらに含む。
【０１６７】
本発明のこの実施例はサーバを提供し、これは、端末が、ユーザによって選択された行動に従って、リアルタイムで、ユーザの要件を最も満たすことができる拡張現実コンテンツを動的に選択することを可能にすることができ、それにより、ユーザの情報の要件を満たす。
【実施例４】
【０１６８】
図６に表わされているように、本発明のこの実施例は、ＣＰＵ１７、メモリ１８、およびカメラ１９を含む端末を提供し、
ＣＰＵ１７は、端末の制御および処理の中心であり、メモリ１８に記憶されたソフトウェアプログラムを実行し、メモリ１８に記憶されたデータを呼び出して処理し、それによって、信号を受信および送信するように端末を制御し、端末の他の機能を実現し、
メモリ１８は、ソフトウェアプログラムおよびデータを記憶するように構成されることが可能であり、それによって、ＣＰＵ１７はメモリ１８に記憶されたソフトウェアプログラムを実行することが可能であり、それによって、信号の受信および送信の機能および端末の他の機能を実現し、
カメラ１９は、ＣＰＵ１７によってトリガされた後、写真を撮影するように構成されることが可能である。
【０１６９】
具体的には、ＣＰＵ１７は、次のステップを少なくとも実行することが可能であり、
（１）ＣＰＵ１７は、端末内にある、位置情報を取得するためのアプリケーションがトリガされたとき、端末の位置のパノラマ写真を撮影するようにカメラ１９をトリガし、パノラマ写真に従って端末の位置情報および第１のターゲットの関連情報を判定するように構成されることが可能であり、
（２）ＣＰＵ１７は、サーバに第１の要求メッセージを送信するようにさらに構成されることが可能であり、第１の要求メッセージは端末の識別子およびＣＰＵ１７によって判定された端末の位置情報を搬送し、
（３）ＣＰＵ１７は、サーバからの、少なくとも１つの行動を搬送する第１の応答メッセージを受信するようにさらに構成されることが可能であり、少なくとも１つの行動は、端末の識別子、端末の位置情報、および異なる行動の条件付き確率に従ってサーバによって判定され、
（４）ＣＰＵ１７は、端末が少なくとも１つの行動の中で第１の行動が選択されたと判定したとき、サーバに第２の要求メッセージを送信するようにさらに構成されることが可能であり、第２の要求メッセージは第１の行動についての情報を搬送し、
（５）ＣＰＵ１７は、サーバからの、第１の行動に対応するＡＲコンテンツを搬送する第２の応答メッセージを受信するようにさらに構成されることが可能であり、
（６）ＣＰＵ１７は、第１のターゲットの関連情報に従う結合の後、第１のターゲットおよびＡＲコンテンツを提示するようにさらに構成されることが可能であり、
メモリ１８は、端末内にある、位置情報を取得するためのアプリケーションのソフトウェアコード、パノラマ写真を撮影するためのソフトウェアコード、端末の位置情報を判定するためのソフトウェアコードおよび第１のターゲットの関連情報を判定するためのソフトウェアコード、端末の識別子を取得するためのソフトウェアコード、少なくとも１つの行動を表示するためのソフトウェアコード、第１の行動についての情報を判定するためのソフトウェアコード、ＡＲコンテンツを表示するためのソフトウェアコード、および前述の処理を遂行するように端末を制御するためのソフトウェアプログラムを記憶するように構成されることが可能であり、それによって、ＣＰＵ１７は前述のソフトウェアプログラムを実行し、前述のソフトウェアコードを呼び出すことによって前述の処理を遂行する。
【０１７０】
本発明のこの実施例において、メモリ１８は、具体的には、ダブル・データ・レート同期ダイナミック・ランダム・アクセス・メモリ（英語でDouble Data Rate Synchronous Dynamic Random Access Memory、略してＤＤＲ  ＳＤＲＡＭ）、スタティック・ランダム・アクセス・メモリ（英語でStatic Random Access Memory、略してＳＲＡＭ）、フラッシュメモリ（英語でFLASH）、半導体ディスク（英語でSolid State Disk、略してＳＳＤ）、ランダム・アクセス・メモリ（英語でRandom Access Memory、略してＲＡＭ）、リード・オンリ・メモリ（英語でRead-Only Memory、略してＲＯＭ）、等であることが可能であり、プログラム記憶領域およびデータ記憶領域を主に含み、プログラム記憶領域はオペレーティングシステム、少なくとも１つの機能によって要求されるアプリケーションプログラム（例えば、前述のソフトウェアコード）、等を記憶することが可能であり、データ記憶領域は、ＣＰＵ１７の実行状況に従って最終的に生成されたデータを記憶することが可能である。ＣＰＵ１７が前述のステップを行うときに生成される中間データは内部メモリに記憶される。ＣＰＵ１７およびメモリ１８は同じチップ内に統合されることが可能であり、または２つの独立の構成要素であることが可能であることに留意すべきである。
【０１７１】
任意選択で、ＣＰＵ１７が、端末内にある、位置情報を取得するためのアプリケーションがトリガされたとき、端末の位置のパノラマ写真を撮影し、パノラマ写真に従って端末の位置情報および第１のターゲットの関連情報を判定する前に、ＣＰＵ１７は、第２のターゲットのタグ情報を読み取り、サーバに第１の記録事象を送信するようにさら構成され、第１の記録事象は、端末の識別子および端末の位置情報に従って第１の記録事象を分類し、かつ第１の記録事象の確率を判定するようにサーバをトリガし、第１の記録事象は、ＣＰＵ１７により第２のターゲットのタグ情報を読み取る行動を含む。
【０１７２】
任意選択で、ＣＰＵ１７がサーバに第１の要求メッセージを送信した後、ＣＰＵ１７は、サーバに第２の記録事象を送信するようにさらに構成され、第２の記録事象は、端末の識別子および端末の位置情報に従って第２の記録事象を分類し、かつ第２の記録事象の確率および第２の記録事象の条件付き確率を判定するようにサーバをトリガし、第２の記録事象は、少なくとも１つの行動の中で第１の行動を選択する行動を含む。
【０１７３】
任意選択で、ＣＰＵ１７によって判定された第１のターゲットの関連情報は、第１のターゲットの位置情報を含み、ＣＰＵ１７によって送信された第２の記録事象は、第１のターゲットの位置情報をさらに含む。
【０１７４】
任意選択で、ＣＰＵ１７が第２のターゲットのタグ情報を読み取った後、
ＣＰＵ１７は、第２のターゲットのタグ情報に従って第２のターゲットの識別子を取得し、サーバに第２のターゲットの識別子を搬送する第３の要求メッセージを送信し、サーバによって返信された、第２のターゲットの位置情報を搬送する第３の応答メッセージを受信するようにさらに構成される。
【０１７５】
任意選択で、ＣＰＵ１７によって送信された第１の記録事象は、第２のターゲットの位置情報をさらに含む。
【０１７６】
本発明のこの実施例は端末を提供し、これは、ユーザによって選択された行動に従って、リアルタイムで、ユーザの要件を最も満たすことができる拡張現実コンテンツを動的に選択することができ、それにより、ユーザの情報の要件を満たす。
【０１７７】
図７に表わされているように、本発明のこの実施例は、ＣＰＵ２５およびメモリ２６を含むサーバを提供し、
ＣＰＵ２５は、サーバの制御および処理の中心であり、メモリ２６に記憶されたソフトウェアプログラムを実行し、メモリ２６に記憶されたデータを呼び出して処理し、それによって、信号を受信および送信するようにサーバを制御し、サーバの他の機能を実現し、
メモリ２６は、ソフトウェアプログラムおよびデータを記憶するように構成されることが可能であり、それによって、ＣＰＵ２５はメモリ２６に記憶されたソフトウェアプログラムを実行することが可能であり、それによって、信号の受信および送信の機能およびサーバの他の機能を実現する。
【０１７８】
具体的には、ＣＰＵ２５は、次のステップを少なくとも実行することが可能であり、
（１）ＣＰＵ２５は、端末から第１の要求メッセージを受信するように構成されることが可能であり、第１の要求メッセージは端末の識別子および端末の位置情報を搬送し、
（２）ＣＰＵ２５は、端末の識別子、端末の位置情報、および異なる行動の条件付き確率に従って、少なくとも１つの行動を判定するようにさらに構成されることが可能であり、
（３）ＣＰＵ２５は、端末に、少なくとも１つの行動を搬送する第１の応答メッセージを送信するようにさらに構成されることが可能であり、
（４）ＣＰＵ２５は、端末から第２の要求メッセージを受信するようにさらに構成されることが可能であり、第２の要求メッセージは第１の行動についての情報を搬送し、第１の行動は少なくとも１つの行動の中で選択された行動であり、
（５）ＣＰＵ２５は、端末に、第１の行動に対応するＡＲコンテンツを搬送する第２の応答メッセージを送信するようにさらに構成されることが可能であり、第２の応答メッセージは、第１のターゲットの関連情報に従う結合の後、第１のターゲットおよびＡＲコンテンツを提示するように端末をトリガし、端末の位置情報および第１のターゲットの関連情報は、端末内にある、位置情報を取得するためのアプリケーションがトリガされたとき、端末がパノラマ写真を撮影した後、端末の位置のパノラマ写真に従って判定され、
メモリ２６は、端末の識別子のソフトウェアコード、端末の位置情報を受信するためのソフトウェアコード、異なる行動の条件付き確率を計算し、少なくとも１つの行動を送信するためのソフトウェアコード、第１の行動についての情報を受信するためのソフトウェアコード、第１の行動に対応するＡＲコンテンツを送信するためのソフトウェアコード、および前述の処理を遂行するようにサーバを制御するためのソフトウェアプログラムを記憶するように構成されることが可能であり、それによって、ＣＰＵ２５は前述のソフトウェアプログラムを実行し、前述のソフトウェアコードを呼び出すことによって前述の処理を遂行することが可能である。
【０１７９】
本発明のこの実施例において、メモリ２６は、具体的には、ＤＤＲ  ＳＤＲＡＭ、ＳＲＡＭ、ＦＬＡＳＨ、ＳＳＤ、ＲＡＭ、ＲＯＭ、等であることが可能であり、プログラム記憶領域およびデータ記憶領域を主に含み、プログラム記憶領域はオペレーティングシステム、少なくとも１つの機能によって要求されるアプリケーションプログラム（例えば、前述のソフトウェアコード）、等を記憶することが可能であり、データ記憶領域は、ＣＰＵ２５の実行状況に従って最終的に生成されたデータを記憶することが可能である。ＣＰＵ２５が前述のステップを行うときに生成される中間データは内部メモリに記憶される。ＣＰＵ２５およびメモリ２６は同じチップ内に統合されることが可能であり、または２つの独立の構成要素であることが可能であることに留意すべきである。
【０１８０】
任意選択で、ＣＰＵ２５が端末から第１の要求メッセージを受信する前に、
ＣＰＵ２５は、端末から第１の記録事象を受信し、端末の識別子および端末の位置情報に従って第１の記録事象を分類し、第１の記録事象の確率を判定するようにさらに構成され、第１の記録事象は、端末により第２のターゲットのタグ情報を読み取る行動を含む。
【０１８１】
任意選択で、ＣＰＵ２５が端末から第２の要求メッセージを受信した後、
ＣＰＵ２５は、端末から第２の記録事象を受信し、端末の識別子および端末の位置情報に従って第２の記録事象を分類し、第２の記録事象の確率および第２の記録事象の条件付き確率を判定するようにさらに構成され、第２の記録事象は、少なくとも１つの行動の中で第１の行動を選択する行動を含む。
【０１８２】
任意選択で、第１のターゲットの関連情報は、第１のターゲットの位置情報を含み、ＣＰＵ２５によって受信された第２の記録事象は、第１のターゲットの位置情報をさらに含む。
【０１８３】
任意選択で、ＣＰＵ２５が端末から第１の記録事象を受信する前に、
ＣＰＵ２５は、端末からの、第２のターゲットの識別子を搬送する第３の要求メッセージを受信し、端末に、第２のターゲットの位置情報を搬送する第３の応答メッセージを返信するようにさらに構成され、第２のターゲットの識別子は、第２のターゲットのタグ情報に従って端末によって取得される。
【０１８４】
任意選択で、ＣＰＵ２５によって受信された第１の記録事象は、第２のターゲットの位置情報をさらに含む。
【０１８５】
本発明のこの実施例はサーバを提供し、これは、端末が、ユーザによって選択された行動に従って、リアルタイムで、ユーザの要件を最も満たすことができる拡張現実コンテンツを動的に選択することを可能にすることができ、それにより、ユーザの情報の要件を満たす。
【実施例５】
【０１８６】
図８に表わされているように、本発明の実施例は、前述の実施例１から実施例４において説明された端末およびサーバを含む、ＡＲコンテンツを選別するためのシステムを提供する。
【０１８７】
本発明の実施例による、ＡＲコンテンツを選別するための方法に対応する、本発明の技術的解決策の実現形態をより正確に理解するために、以下は、ショッピングセンターおよび美術館を別個に例として使用して、本発明の実施例による、ＡＲコンテンツを選別するための方法の実現シナリオ、すなわち、ショッピングセンターおよび美術館において表示されるように向上される必要があるコンテンツを選別するための処理を説明する。
【０１８８】
［実現シナリオ１：ショッピングセンター］
【０１８９】
（１）ショッピングセンターにおいて装飾、配列、および品目配置が行われるとき、前述の実施例において提供される方法に従って、ショッピングセンターの屋内地図およびショッピングセンター内のＰＯＩについてのデータが収集される。
【０１９０】
（２）ショッピングセンターに来た後、まず、ユーザはドレスを選び購入するために女性用ドレスブランド店Ｘに入る。本発明の技術的解決策において提供される、位置情報を取得するためのアプリケーションがユーザによって搬送される端末内にインストールされ、アプリケーションはショッピングセンター内のどの商品のバーコードまたは２次元コードも読み取り、端末に、読み取られた商品に関連する商品の説明情報、例えば、商品のブランド、商品の素材、商品の数、商品の価格、および商品の在庫品目のような情報をプッシュすることができ、従って、ユーザは端末を使用して、歩く間に女性用ドレスブランド店Ｘ内のドレスの説明情報を照会する。最後に、ユーザはドレスを選び、店員に送り状を作成するよう頼む。店員はユーザが選んだドレスを登録し、ユーザによって搬送される端末に、対応する取引情報を書き込む。ユーザによって搬送される端末が取引情報を取得したとき、端末は、ユーザによりドレスを選ぶ事象を記録し、サーバにその事象をアップロードする。
【０１９１】
（３）そして、ユーザはギフト店Ｙおよび化粧品店Ｚに来て、２つの店で贈り物および化粧品をそれぞれ選び購入する。店員は、また、ユーザによって搬送される端末に、対応する取引情報を書き込む。同様に、ユーザによって搬送される端末が２つの取引情報を取得したとき、端末は、ユーザにより贈り物を選び化粧品を選ぶ２つの事象を別個に記録し、サーバにその事象をアップロードする。
【０１９２】
（４）化粧品店Ｚを歩いて出た後、ユーザは支払いをするために化粧品店Ｚに最も近い清算所を見つけ、支払いを完了した後、精算所の従業員は、ユーザによって搬送される端末に、支払証明書および電子送り状を別個に書き込む。
【０１９３】
（５）ユーザが、支払証明書を見せて、ユーザが選び購入したドレス、贈り物、および化粧品を受け取るために、女性用ドレスブランド店Ｘ、ギフト店Ｙ、および化粧品店Ｚに戻る必要があるとき、ユーザは、清算所に最も近い化粧品店Ｚの位置を思い出すのみで、女性用ドレスブランド店Ｘおよびギフト店Ｙの位置を思い出すことができない。
【０１９４】
（４）ユーザは、端末内にインストールされた、位置情報を取得するためのアプリケーションを使用することによって、端末の位置のパノラマ写真を撮影する。端末は、ユーザによって撮影されたパノラマ写真に従って、化粧品店Ｚの識別子、清算所の識別子、および他のいくつかの識別可能な識別子を判定し、その識別子に従って、端末の位置、すなわち、端末の位置情報を推定し、端末は、また、サーバに、端末の識別子および端末の位置情報を含む第１の要求メッセージを送信する。サーバが第１の要求メッセージを受信した後、サーバは、端末に関連する前述の３つの記憶された事象および対応する条件付き確率（条件付き確率は、端末によってアップロードされた大量の収集されたデータに従って、サーバによる計算によって獲得される）に従って、最も発生する可能性があるユーザの次の行動が以下の通りであり得ることを獲得する。
ａ．最も近いエスカレータはどこか？
ｂ．最も近いレストランはどこか？
ｃ．訪れた店に戻るか？
【０１９５】
（５）ユーザは「ｃ．訪れた店に戻るか？」の選択肢に対応する行動を選択する。サーバがユーザによって選択された行動を受信した後、サーバは、行動「訪れた店に戻る」に従って、予め記憶されたＡＲコンテンツからナビゲーション・クラスのＡＲコンテンツを選択し、ナビゲーション・クラスのＡＲコンテンツはユーザが訪れた店に近い重要な目印を含み、それによって、サーバは、ユーザに関連する記録された事象、ショッピングセンターの屋内地図、およびショッピングセンター内のＰＯＩについてのデータに従って、ユーザの位置から女性用ドレスブランド店Ｘ、ギフト店Ｙ、および化粧品店Ｚへの経路の地図を別個に生成し、任意の２つの店の間の重要な目印を識別し得る。そして、サーバは、端末に情報を送信し、端末は、ＡＲ形式で、ユーザに、経路地図上の重要な目印および曲がり角の情報を表示する。
【０１９６】
（６）ユーザは、アプリケーションプログラムのヘルプを用いて女性用ドレスブランド店Ｘ、ギフト店Ｙ、および化粧品店Ｚを見つけ、ユーザが選び購入したドレス、贈り物、および化粧品を別個に受け取る。
【０１９７】
（７）端末は、ユーザにより訪れた店に戻ることを選択する事象を記録し、サーバにその事象を送信し、それによって、サーバは事象を分類し、事象についての統計データを収集し、事象を分析する。
【０１９８】
［実現シナリオ２：美術館］
【０１９９】
（１）十分でない従業員およびますます多くの訪問者によってもたらされる多忙を緩和するために、本発明において提供される技術的解決策に従って、訪問者への自己ヘルプを提供するために、美術館のための自己ヘルプシステムが配備され、自己ヘルプシステムは、端末にインストールされた位置情報を取得するためのアプリケーションおよび背後で動作するサーバを含み得る。
【０２００】
（２）外国の訪問者が美術館に来たとき、本発明の技術的解決策において提供される、位置情報を取得するためのアプリケーションが訪問者によって搬送される端末にインストールされるので、訪問者は、まず、端末を使用して、サービスカウンターで、前もって予約した美術館のチケットを受け取り、端末は、訪問者によりチケットを受け取る事象を記録し、サーバにその事象を送信し、それによって、サーバは、事象を分類し、事象についての統計データを収集し、事象を分析し得る。
【０２０１】
（３）訪問者は端末を使用して１階のロビーの入口でＮＦＣポスターを読み取り、端末は、読み取られたポスターに従って、美術館の最新の展示情報および講演情報を獲得し、ユーザに展示情報および講演情報を表示し、端末は、訪問者によりＮＦＣポスターを読み取る事象を記録し、サーバにその事象を送信し、それによって、サーバは、事象を分類し、事象についての統計データを収集し、事象を分析し得る。
【０２０２】
（４）訪問者が１階のロビーに入った後、訪問者は美術館の壮麗さに衝撃を受け、従って、訪問者は、困惑し、訪問者がどの場所から訪問を始める必要があるか分からない。その結果、訪問者は、端末内にインストールされた位置情報を取得するためのアプリケーションを使用することによって端末の位置のパノラマ写真を撮影する。端末は、訪問者によって撮影されたパノラマ写真から十分な特徴を抽出し、従って、端末が１階のロビーに位置することを判定し、端末は、サーバに、端末の識別子および端末の位置、すなわち、端末の位置情報を含む第１の要求メッセージを送信する。サーバが第１の要求メッセージを受信した後、サーバは、端末に関する前述の２つの記憶された事象および対応する条件付き確率（条件付き確率は、端末によってアップロードされた大量の収集されたデータに従って、サーバによる計算によって獲得される）に従って、最も発生する可能性がある訪問者の次の行動が以下の通りであり得ることを推論する。
ａ．美術館内で開催されている最も高価な展示品がある展示である、古代中国の展示を訪問する。
ｂ．美術館内で開催されている無料の展示である、翡翠の器の展示、コインの展示、中国の伝統的な絵画および書道の展示、等を訪問する。
ｃ．美術館内で開催されている請求可能な展示である、フィレンツェおよびルネサンスの有名な作品の展示を訪問する。
ｄ．美術館内で開催されている無料の講演である、磁器鑑定入門に参加する。
【０２０３】
（５）訪問者は、比較的、古美術鑑定に興味があり、それがまれな機会であると思ったので、訪問者は「ｄ．美術館内で開催されている無料の講演である磁器鑑定入門に参加する。」の選択肢を選択する。サーバは、訪問者によって選択された行動に従って、端末に、講演の専門家についての関連する紹介、講演の内容、講演が開催される場所、および講演が開催される特定の位置が最上階の野外喫茶店であること、のような行動に関連する情報を送信し、端末は、ＡＲ形式で、訪問者に、講演に関連する前述の情報および講演が開催される位置への経路の地図を表示する。
【０２０４】
（６）アプリケーションプログラムの案内の下で、訪問者は最上階に行き、磁器鑑定入門の講演に参加する。
【０２０５】
（７）端末は、訪問者により美術館内で開催されている無料の講演に参加することを選択する事象を記録し、サーバにその事象を送信し、それによって、サーバは事象を分類し、事象についての統計データを収集し、事象を分析し得る。
【０２０６】
本発明のこの実施例による、ＡＲコンテンツを選別するためのシステムは、ユーザによって選択された行動に従って、リアルタイムで、ユーザの要件を最も満たすことができる拡張現実コンテンツを動的に選択することができ、それにより、ユーザの情報の要件を満たす。
【０２０７】
便宜的で簡潔な説明の目的のために、前述の機能モジュールの区分が説明のための例として利用されたことをこの技術分野の当業者は明確に理解し得る。実際の適用において、前述の機能は、異なる機能モジュールに割り当てられ、要件に従って実現されることができる、すなわち、上記で説明された機能の全てまたは一部を実現するために、装置の内部構成が異なる機能モジュールに区分される。前述のシステム、装置、およびユニットの詳細な動作の処理について、前述の方法の実施例における対応する処理への参照を行うことが可能であり、ここで再度詳細は説明されない。
【０２０８】
本出願において提供されるいくつかの実施例において、開示されたシステム、装置、および方法は他の形態で実現され得ることを理解すべきである。例えば、説明された装置の実施例は単なる例示である。例えば、モジュールまたはユニットの区分は単なる論理的な機能の区分であり、実際の実現において他の区分であり得る。例えば、複数のユニットまたは構成要素は、他のシステムに結合または統合されることが可能であり、または一部の特徴は無視され、または行われないことが可能である。さらに、表示され、または説明された相互の結合または直接の結合または通信接続は、いくつかのインターフェースを使用することによって実現され得る。装置またはユニットの間の間接的な結合または通信接続は、電気的、機械的、または他の形式で実現され得る。
【０２０９】
別個の部分として説明されたユニットは物理的に別個であり、または別個でないことが可能であり、ユニットとして表示された部分は、物理的なユニットであり、または物理的なユニットでないことが可能であり、１つの場所に位置することが可能であり、または複数のネットワークユニット上に分散されることが可能である。ユニットの一部または全部は実施例の解決策の目的を達成するための実際の必要性に従って選択され得る。
【０２１０】
さらに、本発明の実施例における機能ユニットは１つの処理ユニットに統合されることが可能であり、またはユニットの各々が物理的に単独で存在することが可能であり、または２つまたはより多くのユニットが１つのユニットに統合される。統合されたユニットはハードウェアの形式で実現されることが可能であり、またはソフトウェア機能ユニットの形式で実現されることが可能である。
【０２１１】
統合されたユニットがソフトウェア機能ユニットの形式で実現され、独立の製品として販売または使用されるとき、統合されたユニットはコンピュータ読み取り可能な記憶媒体に記憶され得る。そのような理解に基づいて、本質的に、本発明の技術的解決策、または先行技術に貢献する部分、または技術的解決策の全部または一部は、ソフトウェア製品の形式で実現され得る。ソフトウェア製品は、記憶媒体に記憶され、本発明の実施例において説明された方法のステップの全部または一部を行うように（パーソナルコンピュータ、サーバ、ネットワークデバイス、等であり得る）コンピュータデバイスまたはプロセッサ（processor）に指示するためのいくつかの命令を含む。前述の記憶媒体は、ＵＳＢフラッシュドライブ、取り外し可能なハードディスク、リード・オンリ・メモリ、ランダム・アクセス・メモリ、磁気ディスク、または光ディスクのような、プログラムコードを記憶することができる任意の媒体を含む。
【０２１２】
前述の説明は、単に本発明の特定の実現形態であり、本発明の保護範囲を限定することは意図されない。本発明において開示された技術的範囲内でこの技術分野の当業者によって容易に想像される任意の変形または置換は本発明の保護範囲内にある。従って、本発明の保護範囲は請求項の保護範囲に従う。
【符号の説明】
【０２１３】
１  端末
２  サーバ
１０、２１  判定ユニット
１１、２２  送信ユニット
１２、２０  受信ユニット
１３  表示ユニット
１７、２５  ＣＰＵ
１８、２６  メモリ
１９  カメラ
【図１】
0006478286.tif 000011
【図２】
0006478286.tif 000012
【図３】
0006478286.tif 000013
【図４】
0006478286.tif 000014
【図５】
0006478286.tif 000015
【図６】
0006478286.tif 000016
【図７】
0006478286.tif 000017
【図８】
0006478286.tif 000018